(57)【要約】【課題】重複する基本サービスセットを含む高密度環境における無線通信方法及び無線通信端末を提供する。【解決手段】無線で通信する無線通信端末が開示される。無線通信端末は、送受信部と、プロセッサと、を含む。前記プロセッサは、前記送受信部を使用してベース無線通信端末からトリガー情報を受信し、前記トリガー情報に基づいて前記ベース無線通信端末にＡ−ＭＰＤＵ（Ａｇｇｒｅｇａｔｅ−ＭＡＣ Ｐｒｏｔｏｃｏｌ Ｄａｔａ Ｕｎｉｔ）を伝送する。【選択図】図２４
2020174409.tif 000002
【特許請求の範囲】
【請求項１】
無線で通信する無線通信端末において、
送受信部と、
プロセッサとを含み、
前記プロセッサは、
前記送受信部を使用してベース無線通信端末からトリガー情報を受信し、前記トリガー情報は、前記無線通信端末によるトリガー基盤物理層プロトコルデータユニット（ＰＰＤＵ）の伝送をトリガーし、前記トリガー情報がトリガーフレームに含まれていれば、前記トリガーフレームは、前記無線通信端末が、即刻の応答を要請する一つ以上のＭＰＤＵを集合して、Ａ−ＭＰＤＵ（Ａｇｇｒｅｇａｔｅ−ＭＡＣ Ｐｒｏｔｏｃｏｌ Ｄａｔａ Ｕｎｉｔ）を生成することを可能にされているかどうかを示すシグナリングフィールドを含み、
前記トリガー情報がトリガーフレームに含まれていれば、前記シグナリングフィールドに基づいて、即刻の応答を要請する一つ以上のＭＰＤＵを集合して、前記Ａ−ＭＰＤＵを生成するかどうかを決定し、
前記トリガー情報がトリガーフレームに含まれていれば、前記決定に応じて前記Ａ−ＭＰＤＵを生成し、
前記ベース無線通信端末に前記Ａ−ＭＰＤＵを含むトリガー基盤ＰＰＤＵを伝送する
無線通信端末。
【請求項２】
前記シグナリングフィールドの値が予め指定された値であれば、前記プロセッサは、即刻の応答を要請する一つ以上のＭＰＤＵを含まない前記Ａ−ＭＰＤＵを生成し、
前記シグナリングフィールドの値が予め指定された範囲内であれば、前記シグナリングフィールドはＴＩＤの最大個数を示し、それは、前記無線端末が前記Ａ−ＭＰＤＵを生成するのであれば、前記Ａ−ＭＰＤＵ内に集合されることが可能にされ、前記プロセッサは、前記ＴＩＤの最大個数に従って前記Ａ−ＭＰＤＵを生成する
請求項１に記載の無線通信端末。
【請求項３】
前記無線通信は、前記ＴＩＤの最大個数にかかわらず、即刻の応答を要請しない一つ以上のＭＰＤＵを集合することが可能にされている
請求項２に記載の無線通信端末。
【請求項４】
前記即刻の応答を要請しない一つ以上のＭＰＤＵは、ＱｏＳ（Ｑｕａｌｉｔｙ ｏｆ Ｓｅｒｖｉｃｅ） Ｎｕｌｌフレームに対するＡＣＫを要請しないＱｏＳ Ｎｕｌｌフレームを含む
請求項３に記載の無線通信端末。
【請求項５】
前記即刻の応答を要請しない一つ以上のＭＰＤＵは、アクションＮｏ Ａｃｋフレームに対するＡＣＫを要請しないアクションＮｏ Ａｃｋフレームを含む
請求項３に記載の無線通信端末。
【請求項６】
前記シグナリングフィールドの値が予め指定された範囲内であれば、前記プロセッサは、ＴＩＤの最大個数にかかわらず、一つ以上のアクションフレームを集合し、それは、前記無線端末が前記Ａ−ＭＰＤＵを生成するのであれば、前記Ａ−ＭＰＤＵ内に集合されることが可能にされる
請求項１に記載の無線通信端末。
【請求項７】
前記トリガー情報がＭＡＣヘッダに含まれていれば、前記プロセッサは、即刻の応答を要請する一つ以上のＭＰＤＵを含まないＡ−ＭＰＤＵを生成する
請求項１に記載の無線通信端末。
【請求項８】
前記トリガー情報がＭＡＣヘッダに含まれていれば、前記プロセッサは、即刻の応答を要請する一つ以上のＭＰＤＵなしに、ＡＣＫフレーム及びＢＡ（Ｂｌｏｃｋ ＡＣＫ）フレームのうちのいずれか一つを即刻の応答を要請しない一つ以上のＭＰＤＵと集合し、前記Ａ−ＭＰＤＵを生成する
請求項７に記載の無線通信端末。
【請求項９】
前記即刻の応答を要請しない一つ以上のＭＰＤＵは、ＱｏＳ Ｎｕｌｌフレームに対するＡＣＫを要請しないＱｏＳ Ｎｕｌｌフレーム及びアクションＮｏ Ａｃｋフレームに対するＡＣＫを要請しないアクションＮｏ Ａｃｋフレームのうちの少なくとも一つを含む
請求項８に記載の無線通信端末。
【請求項１０】
無線で通信するベース無線通信端末において、
送受信部と、
プロセッサとを含み、
前記プロセッサは、
前記送受信部を使用して複数の無線通信端末にトリガー情報を伝送し、前記トリガー情報は、前記無線通信端末によるトリガー基盤物理層プロトコルデータユニット（ＰＰＤＵ）の伝送をトリガーし、かつ第１のシグナリングフィールドを含むトリガーフレームに含まれ、前記第１のシグナリングフィールドは、即刻の応答を要請する一つ以上のＭＰＤＵを集合して、Ａ−ＭＰＤＵ（Ａｇｇｒｅｇａｔｅ−ＭＡＣ Ｐｒｏｔｏｃｏｌ Ｄａｔａ Ｕｎｉｔ）を生成することが可能にされているかどうかを示し、かつＴＩＤの最大個数を示し、それは、前記無線端末が前記Ａ−ＭＰＤＵを生成するのであれば、前記Ａ−ＭＰＤＵ内に集合されることが可能にされ、
前記第１のシグナリングフィールドに対応する無線通信端末が、即刻の応答を要請する一つ以上のＭＰＤＵを集合して、前記Ａ−ＭＰＤＵを生成することを可能にされていないのであれば、前記第１のシグナリングフィールドの値を予め指定された値に設定し、
前記トリガーフレームを伝送し、
前記複数の無線通信端末のうちの少なくとも一つから前記Ａ−ＭＰＤＵを含むトリガー基盤ＰＰＤＵを受信し、
即刻の応答を要請する一つ以上のＭＰＤＵは、前記第１のシグナリングフィールドに基づいて、前記Ａ−ＭＰＤＵ内に集合され、又はされない
ベース無線通信端末。
【請求項１１】
前記第１のシグナリングフィールドに対応する無線通信端末が、即刻の応答を要請する一つ以上のＭＰＤＵを集合して、前記Ａ−ＭＰＤＵを生成することが可能にされているのであれば、前記プロセッサは、ＴＩＤの最大個数に従って前記第１のシグナリングフィールドの値を設定する
請求項１０に記載のベース無線通信端末。
【請求項１２】
前記ＴＩＤの最大個数は、即刻の応答を要請するＴＩＤの最大個数を示し、それは、前記Ａ−ＭＰＤＵ内に集合されることが可能にされている
請求項１１に記載のベース無線通信端末。
【請求項１３】
ＱｏＳ（Ｑｕａｌｉｔｙ ｏｆ Ｓｅｒｖｉｃｅ） Ｎｕｌｌフレームに対するＡＣＫを要請しない一つ以上のＱｏＳ Ｎｕｌｌフレームは、前記ＴＩＤの最大個数にかかわらず、前記Ａ−ＭＰＤＵ内に集合される
請求項１１に記載のベース無線通信端末。
【請求項１４】
前記トリガーフレームは、無線通信端末がトリガー基盤物理層プロトコルデータユニット（ＰＰＤＵ）を通して前記トリガー情報に対する応答を伝送するのであれば、チャネルセンシングが要求されるかどうかを示す第２のシグナリングフィールドを含み、
前記プロセッサは、前記第２のシグナリングフィールドの値に基づいて、前記第１のシグナリングフィールドの値を設定する
請求項１１に記載のベース無線通信端末。
【請求項１５】
前記第２のシグナリングフィールドが、前記トリガー情報に対する応答を伝送する無線通信端末が前記トリガー基盤ＰＰＤＵを伝送する時にチャネルセンシングが要求されないことを示すように設定されるのであれば、前記プロセッサは、前記第１のシグナリングフィールドの値を予め指定された値に設定する
請求項１４に記載のベース無線通信端末。
【請求項１６】
前記トリガーフレームは、前記トリガー基盤ＰＰＤＵの長さの情報を示す第３のシグナリングフィールドを含み、
前記プロセッサは、前記第３のシグナリングフィールドの値に基づいて、前記第１のシグナリングフィールドの値を設定する
請求項１５に記載のベース無線通信端末。
【発明の詳細な説明】
【技術分野】
【０００１】
本発明は、トリガー情報を使用する無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
【０００３】
ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ） ８０２．１１は、２．４ＧＨｚの周波数を利用した初期の無線ＬＡＮ技術を支援して以来、多様な技術の標準を実用化または開発中である。まず、ＩＥＥＥ ８０２．１１ｂは、２．４ＧＨｚバンドの周波数を使用しながら最高１１Ｍｂｐｓの通信速度を支援する。ＩＥＥＥ ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ ８０２．１１ａはＩＥＥＥ ８０２．１１ｂに比べ通信距離が短い短所がある。そして、ＩＥＥＥ ８０２．１１ｇはＩＥＥＥ ８０２．１１ｂと同じく２．４ＧＨｚバンドの周波数を利用して最大５４Ｍｐｂｓの通信速度を具現し、下位互換性（ｂａｃｋｗａｒｄ ｃｏｍｐａｔｉｂｉｌｉｔｙ）を満足しているため相当な注目を浴びたが、通信距離においてもＩＥＥＥ ８０２．１１ａより優位にある。
【０００４】
そして、無線ＬＡＮで脆弱点として指摘されてきた通信速度に対する限界を克服するために制定された技術規格として、ＩＥＥＥ ８０２．１１ｎがある。ＩＥＥＥ ８０２．１１ｎはネットワークの速度と信頼性を増加し、無線ネットワークの運営距離を拡張するのにその目的がある。より詳しくは、ＩＥＥＥ ８０２．１１ｎではデータの処理速度が最大５４０Ｍｐｂｓ以上の高処理率（Ｈｉｇｈ Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ Ｉｎｐｕｔｓ ａｎｄ Ｍｕｌｔｉｐｌｅ Ｏｕｔｐｕｔｓ）技術に基盤している。また、この規格はデータの信頼性を上げるために重複する写本を多数個伝送するコーディング方式を使用する。
【０００５】
無線ＬＡＮの普及が活性化され、またこれを利用したアプリケーションが多様化されるにつれ、ＩＥＥＥ ８０２．１１ｎを支援するデータ処理速度より高い処理率（Ｖｅｒｙ Ｈｉｇｈ Ｔｈｒｏｕｇｈｐｕｔ、ＶＨＴ）を支援するための新たな無線ＬＡＮシステムに対する必要性が台頭された。このうち、ＩＥＥＥ ８０２．１１ａｃは５ＧＨｚ周波数で広い帯域幅（８０ＭＨｚ〜１６０ＭＨｚ）を支援する。ＩＥＥＥ ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ ８０２．１１ａｄがある。ＩＥＥＥ ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるディバイス間でのみ使用可能な短所がある。
【０００６】
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ Ｐｏｉｎｔ）の存在下で室内外で高い周波数効率の通信が提供されるべきであり、これを具現するために多様な技術が必要である。
【０００７】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００８】
本発明の一実施例は、重複する基本サービスセットを含む高密度環境における無線通信方法及び無線通信端末を提供することを目的とする。
【課題を解決するための手段】
【０００９】
本発明の一実施例によって、無線で通信する無線通信端末は、送受信部と、プロセッサと、を含む。前記プロセッサは、前記送受信部を使用してベース無線通信端末からトリガー情報を受信し、前記トリガー情報に基づいて前記ベース無線通信端末にＡ−ＭＰＤＵ（Ａｇｇｒｅｇａｔｅ−ＭＡＣ Ｐｒｏｔｏｃｏｌ Ｄａｔａ Ｕｎｉｔ）を伝送する。
【００１０】
前記プロセッサは、前記トリガー情報に基づいて即刻の応答を要請するＭＰＤＵを集合し、前記Ａ−ＭＰＤＵを生成するのかを決定する。
【００１１】
前記トリガー情報はトリガーフレームであり、前記トリガーフレームは、前記無線通信端末が即刻の応答を要請するＭＰＤＵを集合し、前記Ａ−ＭＰＤＵを生成することが許容されるのかを示すシグナリングフィールドを含む。この際、前記プロセッサは、前記シグナリングフィールドに基づいて即刻の応答を要請するＭＰＤＵを集合し、前記Ａ−ＭＰＤＵを生成する。
【００１２】
前記シグナリングフィールドの値が予め指定された値であれば、前記プロセッサは即刻の応答を要請するＭＰＤＵを含まない前記Ａ−ＭＰＤＵを生成する。この際、前記シグナリングフィールドの値が予め指定された範囲内であれば、前記シグナリングフィールドは前記無線通信端末が前記Ａ−ＭＰＤＵを生成する際、前記Ａ−ＭＰＤＵが有し得るＴＩＤの最大個数を示し、前記プロセッサは、前記ＴＩＤの最大個数に応じて前記Ａ−ＭＰＤＵを生成する。
【００１３】
また、前記プロセッサは、前記シグナリングフィールドの値が予め指定された範囲内であれば、前記Ａ−ＭＰＤＵが有し得るＴＩＤの最大個数とは関係なく即刻の応答を要請しないＭＰＤＵを集合し、前記Ａ−ＭＰＤＵを生成する。
【００１４】
前記即刻の応答を要請しないＭＰＤＵは、データ伝送に対するＡＣＫを要請しないＱｏＳ（Ｑｕａｌｉｔｙ ｏｆ Ｓｅｒｖｉｃｅ） Ｎｕｌｌフレームを含む。
【００１５】
また、前記即刻の応答を要請しないＭＰＤＵは、データ伝送に対するＡＣＫを要請しなアクションＮｏ Ａｃｋフレームを含む。
また、前記即刻の応答を要請するＭＰＤＵは、アクションフレームを含む。
【００１６】
この際、前記シグナリングフィールドの値が予め指定された範囲内であれば、前記プロセッサは、前記Ａ−ＭＰＤＵが有し得るＴＩＤの最大個数とは関係なく前記アクションフレームを集合し、前記Ａ−ＭＰＤＵを生成する。
【００１７】
前記トリガー情報がＭＡＣヘッダに含まれていれば、前記プロセッサは即刻の応答を要請するＭＰＤＵを含まない前記Ａ−ＭＰＤＵを生成する。
【００１８】
前記トリガー情報がＭＡＣヘッダに含まれていれば、前記プロセッサは、前記即刻の応答を要請するＭＰＤＵなしにＡＣＫフレーム及びＢＡ（Ｂｌｏｃｋ ＡＣＫ）フレームのうちいずれか一つのフレームと即刻の応答を要請しないＭＰＤＵを集合し、前記Ａ−ＭＰＤＵを生成する
【００１９】
前記即刻の応答を要請しないＭＰＤＵは、データ伝送に対するＡＣＫを要請しないＱｏｓ Ｎｕｌｌフレーム及びデータ伝送に対するＡＣＫを要請しないアクションＮｏ Ａｃｋフレームのうち少なくともいずれか一つを含む。
【００２０】
本発明の一実施例によって、無線で通信するベース無線通信端末は、送受信部と、プロセッサと、を含む。この際、前記プロセッサは、前記送受信部を使用して複数の無線通信端末にトリガー情報を伝送し、前記複数の無線通信端末のうち少なくともいずれか一つからトリガー情報に基づいて生成されたＡ−ＭＰＤＵを受信する。
【００２１】
前記トリガー情報はトリガーフレームであり、前記トリガーフレームは前記Ａ−ＭＰＤＵに含まれるＭＰＤＵの種類に関する情報を示す第１シグナリングフィールドを含む。この際、前記第１シグナリングフィールドに当たる無線通信端末が即刻の応答を要請するＭＰＤＵを集合して前記Ａ−ＭＰＤＵを生成することが許容されなければ、前記プロセッサは前記第１シグナリングフィールドの値を予め指定された値に設定する。
【００２２】
前記第１シグナリングフィールドに当たる無線通信端末が即刻の応答を要請するＭＰＤＵを集合して前記Ａ−ＭＰＤＵを生成することが許容されれば、前記プロセッサは前記第１シグナリングフィールドの値を前記Ａ−ＭＰＤＵが有し得るＴＩＤの最大個数に応じて設定する。
【００２３】
前記Ａ−ＭＰＤＵが有し得るＴＩＤの最大個数は、前記Ａ−ＭＰＤＵが有し得る即刻の応答を要請するＴＩＤの最大個数を示す。
【００２４】
データ伝送に対するＡＣＫを要請しないＱｏｓ Ｎｕｌｌフレームは、即刻の応答を要請するＴＩＤに当たらなくてもよい。
【００２５】
前記トリガーフレームは、前記トリガー基盤ＰＰＤＵ（Ｐｈｙｓｉｃａｌ Ｌａｙｅｒ Ｄａｔａ Ｕｎｉｔ）を伝送する際にチャネルセンシングが必要であるのかを示す第２シグナリングフィールドを含み、
【００２６】
前記プロセッサは、前記第２シグナリングフィールドの値に基づいて前記第１シグナリングフィールドの値を設定する。
【００２７】
前記プロセッサは、前記第２シグナリングフィールドが前記トリガー基盤ＰＰＤＵを伝送するためのチャネルセンシングが必要ではないことを示すように設定されていれば、前記第１シグナリングフィールドの値を予め指定された値に設定する。
【００２８】
前記トリガーフレームは、トリガー基盤ＰＰＤＵの長さに関する情報を示す第３シグナリングフィールドを含む。この際、前記プロセッサは、前記第３シグナリングフィールドの値に基づいて前記第１シグナリングフィールドの値を設定する。
【００２９】
本発明の実施例によって、無前で通信する無線通信端末の動作方法は、ベース無線通信端末からトリガー情報を受信するステップと、前記トリガー情報に基づいて前記ベース無線通信端末にＡ−ＭＰＤＵを伝送するステップと、を含む。
【発明の効果】
【００３０】
本発明の一実施例は、トリガー情報を使用する無線通信方法及びそれを利用する無線通信端末を提供する。
【図面の簡単な説明】
【００３１】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施例による無線通信端末がＡ−ＭＰＤＵを生成する方法を示す図である。
【図７】本発明の実施例による無線通信端末がＡ−ＭＰＤＵに関するＢｌｏｃｋ ＡＣＫ（ＢＡ）フレームを伝送する方法を示す図である。
【図８】本発明の実施例による無線通信端末がＴＩＤの最大個数情報に基づいてＡ−ＭＰＤＵを伝送する動作を示す図である。
【図９】本発明の他の実施例による無線通信端末がＴＩＤの最大個数情報に基づいてＡ−ＭＰＤＵを伝送する動作を示す図である。
【図１０】本発明のまた他の実施例による無線通信端末がＴＩＤの最大個数情報に基づいてＡ−ＭＰＤＵを伝送する動作を示す図である。
【図１１】本発明の更に他の実施例による無線通信端末がＴＩＤの最大個数情報に基づいてＡ−ＭＰＤＵを伝送する動作を示す図である。
【図１２】本発明の実施例による無線通信端末がトリガーフレームのＴＩＤの最大個数情報を設定する動作を示す図である。
【図１３】本発明の実施例による無線通信端末がＵＬ ＭＵ ＲＳに基づいてＡ−ＭＰＤＵを伝送する動作を示す図である。
【図１４】本発明の他の実施例による無線通信端末がＵＬ ＭＵ ＲＳに基づいてＡ−ＭＰＤＵを伝送する動作を示す図である。
【図１５】本発明のまた他の実施例による無線通信端末がＵＬ ＭＵ ＲＳに基づいてＡ−ＭＰＤＵを伝送する動作を示す図である。
【図１６】本発明の実施例によるＡＰがトリガーフレームを使用して複数の無線通信端末にトリガーフレームの伝送電力をシグナリングし、複数の無線通信端末がトリガーフレームの伝送電力に基づいてＭＵ ＰＰＤＵの伝送電力を調整することを示す図である。
【図１７】本発明の実施例による無線通信端末がＭＵ ＰＰＤＵの受信信号強度を測定する方法を示す図である。
【図１８】本発明の他の実施例による無線通信端末がＭＵ ＰＰＤＵの受信信号強度を測定する方法を示す図である。
【図１９】本発明のまた他の実施例による無線通信端末がＭＵ ＰＰＤＵの受信信号強度を測定する方法を示す図である。
【図２０】本発明の更に他の実施例による無線通信端末がＭＵ ＰＰＤＵの受信信号強度を測定する方法を示す図である。
【図２１】本発明の更に他の実施例による無線通信端末がＭＵ ＰＰＤＵの受信信号強度を測定する方法を示す図である。
【図２２】本発明の更に他の実施例による無線通信端末がＭＵ ＰＰＤＵの受信信号強度を測定する方法を示す図である。
【図２３】本発明の更に他の実施例による無線通信端末がＭＵ ＰＰＤＵの受信信号強度を測定する方法を示す図である。
【図２４】本発明の実施例による無線通信端末の動作を示す図である。
【発明を実施するための形態】
【００３２】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００３３】
また、ある部分がある構成要素を「含む」という際、これは特に反対する記載がない限り、他の構成要素を除くのではなく、他の構成要素を更に含むことを意味する。
【００３４】
本出願は、韓国特許出願第１０−２０１６−００８５７６４号（２０１６．０７．０６）、第１０−２０１６−０１１７８９８号（２０１６．０９．１３）、 及び第１０−２０１７−００４８１４５号（２０１７．０４．１３）に基づいた優先権を主張し、優先権の基礎となる前記各出願に述べられた実施例及び記載事項は、本出願の詳細な説明に含まれるとする。
【００３５】
図１は、本発明の一実施例による無線ＬＡＮシステムを示す図である。無線ＬＡＮシステムは一つまたはそれ以上のベーシックサービスセット（Ｂａｓｉｃ Ｓｅｒｖｉｃｅ Ｓｅｔ、ＢＳＳ）を含むが、ＢＳＳとは無事に同期化を果たして互いに通信し得る機器の集合を示す。一般に、ＢＳＳはインフラストラクチャＢＳＳ（ｉｎｆｒａｓｔｒｕｃｔｕｒｅ ＢＳＳ）と独立ＢＳＳ（Ｉｎｄｅｐｅｎｄｅｎｔ ＢＳＳ、ＩＢＳＳ）に区分されるが、図１はこのうちインフラストラクチャＢＳＳを示している。
【００３６】
図１に示したように、インフラストラクチャＢＳＳ（ＢＳＳ１、ＢＳＳ２）は、一つまたはそれ以上のステーション（ＳＴＡ１、ＳＴＡ２、ＳＴＡ３、ＳＴＡ４、ＳＴＡ５）、分配サービス（Ｄｉｓｔｒｉｂｕｔｉｏｎ Ｓｅｒｖｉｃｅ）を提供するステーションであるアクセスポイント（ＰＣＰ／ＡＰ−１、ＰＣＰ／ＡＰ−２）、及び多数のアクセスポイント（ＰＣＰ／ＡＰ−１、ＰＣＰ／ＡＰ−２）を連結する分配システム（Ｄｉｓｔｒｉｂｕｔｉｏｎ Ｓｙｓｔｅｍ， ＳＤ）を含む。
【００３７】
ステーション（ｓｔａｔｉｏｎ、ＳＴＡ）はＩＥＥＥ ８０２．１１標準の基底に従う媒体接続制御（Ｍｅｄｉｕｍ Ａｃｃｅｓｓ Ｃｏｎｔｒｏｌ、 ＭＡＣ）と無線媒体に対する物理層（Ｐｈｙｓｉｃａｌ Ｌａｙｅｒ）インタフェースを含む任意のディバイスであって、広い意味では非アクセスポイント（ｎｏｎ−ＡＰ）だけでなくアクセスポイント（ＡＰ）も含む。また、本明細書において、「端末」はｎｏｎ−ＡＰ ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００３８】
アクセスポイント（Ａｃｃｅｓｓ Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ ＢＳＳ Ｃｏｏｒｄｉｎａｔｉｏｎ Ｐｏｉｎｔ）を含むものとして使用され、広い意味では集中制御器、基地局（Ｂａｓｅ Ｓｔａｔｉｏｎ、ＧＳ）、ノードＢ、ＢＴＳ（Ｂａｓｅ Ｔｒａｎｓｃｅｉｖｅｒ Ｓｙｓｔｅｍ）、またはサイト制御器などの概念を全て含む。
【００３９】
複数のインフラストラクチャＢＳＳは分配システムを介して相互連結される。この際、分配システムを介して連結された複数のＢＳＳを拡張サービスセット（Ｅｘｔｅｎｄｅｄ Ｓｅｒｖｉｃｅ Ｓｅｔ、ＥＳＳ）とする。
【００４０】
図２は、本発明の他の実施例による無線ＬＡＮシステムである独立ＢＳＳを示す図である。図２の実施例において、図１の実施例と同じであるか相応する部分は重複する説明は省略する。
【００４１】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとして接続が許容されず、自己完備的ネットワーク（ｓｅｌｆ−ｃｏｎｔａｉｎｅｄ ｎｅｔｗｏｒｋ）を成す。独立ＢＳＳにおいて、それぞれのステーションＳＴＡ６、ＳＴＡ７はダイレクトで互いに連結される。
【００４２】
図３は、本発明の一実施例によるステーション１００の構成を示すブロック図である。
【００４３】
図示したように、本発明の実施例によるステーション１００は、プロセッサ１１０、送受信部１２０、ユーザインタフェース部１４０、ディスプレーユニット１５０、及びメモリ１６０を含む。
【００４４】
まず、送受信部１２０は無線ＬＡＮパケットなどの無線信号を送受信し、ステーション１００に内装されているか外装として備われる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各相受信モジュールはそれぞれ独立した形態に備えられてもよく、複数のモジュールが一つのチップに統合されて備えられてもよい。
【００４５】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４６】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１６０はプロセッサ１１０で使用される制御プログラム及びそれによる各種データを貯蔵する。このような制御プログラムにはステーション１００がＡＰまたは外部ステーションと接続を行うが、必要な接続プログラムが含まれる。
【００４７】
本発明のプロセッサ１１０は多様な命令またはプログラムを行い、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ＭＰＤＵｌａｔｏｒ ａｎｄ／ｏｒ ｄｅＭＰＤＵｌａｔｏｒ）である。プロセッサ１１０は本発明の実施例によるステーション１００の無線信号送受信の各種動作を制御する。これに対する具体的な実施例は後述する。
【００４８】
図３に示したステーション１００は本発明の一実施例によるブロック図であって、分離して示したブロックはディバイスのエレメントを論理的に区別して示したものである。よって、上述したディバイスのエレメントは、ディバイスの設計によって一つのチップまたは複数のチップで装着される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００４９】
図４は、本発明の一実施例によるＡＰ２００の構成を示すブロック図である。
【００５０】
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００５１】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
【００５２】
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００５３】
図５は、ＳＴＡがＡＰとリンクを設定する過程を概略的に示している。
【００５４】
図５を参照すると、ＳＴＡ１００とＡＰ２００間のリンクは大きくスキャニング（ｓｃａｎｎｉｎｇ）、認証（ａｕｔｈｅｎｔｉｃａｔｉｏｎ）、及び結合（ａｓｓｏｃｉａｔｉｏｎ）の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ）メッセージ（Ｓ１０１）のみを活用して情報を獲得するパッシブスキャニング（ｐａｓｓｉｖｅ ｓｃａｎｎｉｎｇ）方法と、ＳＴＡ１０がＡＰにプローブ要請（ｐｒｏｂｅ ｒｅｑｕｅｓｔ）を伝送し（Ｓ１０３）、ＡＰからプローブ応答（ｐｒｏｂｅ ｒｅｓｐｏｎｓｅ）を受信して（Ｓ１０５）、アクセス情報を獲得するアクティブスキャニング（ａｃｔｉｖｅ ａｃａｎｎｉｎｇ）方法がある。
【００５５】
スキャニングステップにおいて無線アクセス情報の受信に成功したＳＴＡ１００は、認証要請（ａｕｔｈｅｎｔｉｃａｔｉｏｎ ｒｅｑｕｅｓｔ）を伝送し（Ｓ１０７ａ）、ＡＰ２００から認証応答（ａｕｔｈｅｎｔｉｃａｔｉｏｎ ｒｅｓｐｏｎｓｅ）を受信して（Ｓ１０７ｂ）、認証ステップを行う。認証ステップが行われた後、ＳＴＡ１００は結合要請（ａｓｓｏｃｉａｔｉｏｎ ｒｅｑｕｅｓｔ）を伝送し（Ｓ１０９ａ）、ＡＰ２００から結合応答（ａｓｓｏｃｉｔａｔｉｏｎ ｒｅｓｐｏｎｓｅ）を受信して（Ｓ１０９ｂ）、結合ステップを行う。本明細書において、結合とは基本的に無線結合を意味するが、本発明はこれに限らず、広い意味での結合は無線結合及び有線結合を全て含む。
【００５６】
一方、追加的に８０２．１Ｘ基盤の認証ステップＳ１１１、及びＤＨＣＰを介したＩＰアドレス獲得ステップＳ１１３が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５７】
具体的な実施例ではAP（200）は、ad−hocネットワークのように、外部の分配サービス（Distribution Service）に接続されていない独立したネットワークでの通信媒体リソースを割り当ててスケジューリングを実行する無線通信端末であることができる。また、AP（200）は、ベースステーション（base station）、eNB、およびトランスミッションポイント（TP）のうちの少なくともいずれかであることができる。また、AP（200）は、ベースの無線通信端末と呼ばれることができる。
【００５８】
本発明の実施例による無線通信端末は、各レイヤー別データ処理単位であるデータユニットを使用してデータを伝送し受信する。詳しくは、無線通信端末はＭＡＣ（Ｍｅｄｉｕｍ Ａｃｃｅｓｓ Ｃｏｎｔｒｏｌ）レイヤーからＭＰＤＵ（ＭＡＣ Ｐｒｏｔｏｃｏｌ Ｄａｔａ Ｕｎｉｔ）を生成し、フィジカルレイヤーからＰＰＤＵを生成する。また、データを受信する無線通信端末はＰＰＤＵを受信し、ＰＰＤＵからＭＰＤＵを獲得する。このような動作を介し、無線通信端末はデータ伝送の信頼性と効率性を上げる。説明の便宜上、データを伝送する無線通信端末を伝送者（ｏｒｉｇｉｎａｔｏｒ）と称し、データを受信する無線通信端末を受信者（ｒｅｃｉｐｉｅｎｔ）と称する。伝送者は、複数のＭＰＤＵを集合（ａｇｇｒｅｇａｔｅ）して複数のＭＰＤＵを含むＡ−ＭＰＤＵを生成する。伝送者は、受信者に生成したＡ−ＭＰＤＵを伝送する。図６乃至図２４を介して、Ａ−ＭＰＤＵに関する無線通信端末の具体的な動作を説明する。
【００５９】
図６は、本発明の実施例による無線通信端末がＡ−ＭＰＤＵを生成する方法を示す図である。
【００６０】
無線通信端末は、上述したようにＡ−ＭＰＤＵを生成し、受信者にＡ−ＭＰＤＵを伝送する。詳しくは、無線通信端末は、同じＴＩＤを有する複数のＭＰＤＵを挿入してＡ−ＭＰＤＵを生成する。無線通信端末は、これを介して伝送効率を上げる。詳しくは、無線通信端末は、データ伝送のために必要なチャネルアクセス競争手続の回数を減らし、伝送効率を上げる。無線通信端末は、ＭＰＤＵに関する情報を示すデリメータ（ｄｅｌｉｍｉｔｅｒ）を挿入し、一つまたは複数のＭＰＤＵを挿入してＡ−ＭＰＤＵを生成する。Ａ−ＭＰＤＵは、Ｐｒｅ−ＥＯＦパッディングとＥＯＦパッディングに区分される。この際、デリメータはＡ−ＭＰＤＵが含むＰｒｅ−ＥＯＦパッディング部分の端を示すＥＯＦフィールドを含む。この際、ＥＯＦフィールドは、デリメータに当たるＭＰＤＵがＢＡビットマップを含まないＡＣＫを要請することを示す。また、デリメータは、ＭＰＤＵの長さを示すＭＰＤＵ Ｌｅｎｇｔｈフィールドを含む。また、デリメータは、デリメータのエラーを検出するためのＣＲＣ値を示すＣＲＣフィールドを含む。また、デリメータは、デリメータを検出するためのパターンを示すＤｅｌｉｍｉｔｅｒ Ｓｉｇｎａｔｕｒｅフィールドを含む。無線通信端末はＥＯＦフィールドの値が０であって、ＭＰＤＵ Ｌｅｎｇｔｈフィールドの値が０ではない（ｎｏｎ−ｚｅｒｏ）デリメータをＡ−ＭＰＤＵに挿入し、デリメータの後にＭＰＤＵを挿入する。無線通信端末は、Ａ−ＭＰＤＵに一つまたは複数のＭＰＤＵと、一つまたは複数のＭＰＤＵそれぞれに関する情報を示す複数のデリメータを挿入し、Ｐｒｅ ＥＯＦ Ｐａｄｄｉｎｇ Ａ−ＭＰＤＵを生成する。この際、挿入されたＭＰＤＵは、Ｂｌｏｃｋ ＡＣＫ合意（ａｇｒｅｅｍｅｎｔ）されたＴＩＤに当たるデータＭＰＤＵである。無線通信端末は、Ｐｒｅ ＥＯＦ Ｐａｄｄｉｎｇ Ａ−ＭＰＤＵの後にＥＯＦ Ｐａｄｄｉｎｇを挿入する。この際、ＥＯＦ ＰａｄｄｉｎｇはＥＯＦフィールドの値が１であってＭＰＤＵ Ｌｅｎｇｔｈフィールドの値が０である一つまたは複数のデイメータを示す。受信者がＥＯＦフィールドの値が１でＭＰＤＵ Ｌｅｎｇｔｈフィールドの値が０であるデリメータを感知すれば、受信者はＡ−ＭＰＤＵ伝送が終了されたと判断する。
【００６１】
無線通信端末が多量のデータを伝送する際、無線通信端末はＡ−ＭＰＤＵを使用して伝送効率を上げる。但し、Ａ−ＭＰＤＵを受信する受信者Ａ−ＭＰＤＵに対する応答として、ＢＡビットマップを含むＢＡ（Ｂｌｏｃｋ ＡＣＫ）フレームを伝送すべきである。よって、無線通信端末が一つのＭＰＤＵをＡ−ＭＰＤＵを使用して伝送することは非効率であるといえる。よって、一つのＭＰＤＵを含むＡ−ＭＰＤＵであるシングルＭＰＤＵ（Ｓ−ＭＰＤＵ）を受信した受信者は、伝送者にＡ−ＭＰＤＵに対する応答としてＢＡフレームではないＡＣＫフレームを伝送する。詳しくは、一つのＭＰＤＵに対するＢＡ合意とは関係なく、受信者は伝送者にＡ−ＭＰＤＵに対する応答としてＢＡフレームではないＡＣＫフレームを伝送する。また、伝送者はＭＰＤＵの前に位置するデリメータからＥＯＦフィールドの値を１に設定し、ＭＰＤＵ Ｌｅｎｇｔｈフィールドの値を０ではない値に設定する。また、受信者が受信したＡ−ＭＰＤＵが含むデリメータのＥＯＦフィールドの値が１でＭＰＤＵ Ｌｅｎｇｔｈフィールドの値が０であれば、受信者は受信したＡ−ＭＰＤＵがＳ−ＭＰＤＵであると判断する。また、伝送者はＳ−ＭＰＤＵにおいてＭＰＤＵの後にＥＯＦ Ｐａｄｄｉｎｇを挿入する。
【００６２】
図６（ａ）の実施例において、無線通信端末はＴＩＤが２の複数のＭＰＤＵと複数のＭＰＤＵそれぞれに関する情報を示す複数のデリメータ（Ｐｒｅ ＥＯＦ Ｐａｄｄｉｎｇ）を集合し、Ａ−ＭＰＤＵを生成する。この際、ＭＰＤＵは該当ＭＰＤＵの情報を示すデリメータの後に位置する。また、無線通信端末は、ＥＯＦパッディングを挿入する。図６（ｂ）の実施例において、無線通信端末はＴＩＤが２の一つのＭＰＤＵと該当ＭＰＤＵに関する情報を示すデリメータ（Ｐｒｅ ＥＯＦ Ｐａｄｄｉｎｇ）を集合し、Ｓ−ＭＰＤＵを生成する。この際、デリメータのＥＯＦフィールドの値は１であり、ＭＰＤＵ Ｌｅｇｎｔｈフィールドの値は０ではない。また、無線通信端末は、Ｓ−ＭＰＤＵにＥＯＦパッディングを挿入する。図７を介して、伝送者がＡ−ＭＰＤＵを伝送し、受信者がＡ−ＭＰＤＵに対する応答を伝送する動作を具体的に説明する。
【００６３】
図７は、本発明の実施例による無線通信端末がＡ−ＭＰＤＵに関するＢｌｏｃｋ ＡＣＫ（ＢＡ）フレームを伝送する方法を示す図である。
【００６４】
上述したように、無線通信端末は、同じＴＩＤ（ｔｒａｆｆｉｃ ｉｄｅｎｔｉｆｉｅｒ）を有するＭＰＤＵのみを結合してＡ−ＭＰＤＵを生成する。他の具体的な実施例において、無線通信端末は、互いに異なるＴＩＤを有する複数のＭＰＤＵを結合して一つのＡ−ＭＰＤＵを生成する。説明の便宜上、互いに異なる複数のＴＩＤそれぞれに当たる複数のＭＰＤＵを含むＡ−ＭＰＤＵを複数のＴＩＤ Ａ−ＭＰＤＵ（Ｍｕｌｔｉ−ＴＩＤ Ａ−ＭＰＤＵ）または複数のＴＩＤを有するＡ−ＭＰＤＵ（Ａ−ＭＰＤＵ ｗｉｔｈ Ｍｕｌｔｉｐｌｅ ＴＩＤｓ）と称する。これを介し、無線通信端末はＡ−ＭＰＤＵの伝送効率を上げる。また、無線通信端末は、ＨＥ ＰＰＤＵ（Ｐｈｙｓｉｃｌａｌ ｌａｙｅｒ Ｐｒｏｔｏｃｏｌ Ｄａｔａ Ｕｎｉｔ）を使用し、複数のＴＩＤを有するＡ−ＭＰＤＵを伝送する。この際、ＨＥ ＰＰＤＵはＭＥ ＭＵ（Ｍｕｌｔｉ Ｕｓｅｒ） ＰＰＤＵであってもよい。また、ＨＥ ＰＰＤＵは、ＨＥトリガー基盤（ｔｒｉｇｇｅｒ−ｂａｓｅｄ）ＰＰＤＵであってもよい。
【００６５】
無線通信端末は、リング設定手続（ｌｉｎｋ ｓｅｔｕｐ ｐｒｏｃｅｄｕｒｅ）においてＡ−ＭＰＤＵ及びＢＡフレーム伝送に関するパラメータを設定する。無線通信端末は、リング設定手続において複数のＴＩＤを有するＡ−ＭＰＤＵ伝送に関するパラメータを設定する。詳しくは、無線通信端末は、リンク設定手続で無線通信端末が同時に受信し得る最大のＴＩＤ個数を示すＴＩＤの最大個数を伝送する。この際、無線通信端末は、端末の能力を示す情報であるＨＥ ｃａｐａｂｉｌｉｔｙ ｉｎｆｏｒｍａｔｉｏｎエレメントを使用し、ＴＩＤの最大個数情報を伝送する。複数のＴＩＤを有するＡ−ＭＰＤＵのＴＩＤ個数が多くなるほど、Ａ−ＭＰＤＵを受信する無線通信端末の高いプロセス能力が要求されるためである。ＴＩＤの最大個数情報は、ＨＥ ｃａｐａｂｉｌｉｔｙ ｉｎｆｏｒｍａｔｉｏｎエレメントのｍａｘｉｍｕｍ ｎｕｍｂｅｒ ｏｆ ＴＩＤフィールドである。ＡＰがＡＰではない（ｎｏｎ−ＡＰ）無線通信端末に伝送するＴＩＤの最大個数情報は、該当ＡＰではない無線通信端末が伝送すると上がり（ＵｐＬｉｎｋ、ＵＬ）Ａ−ＭＰＤＵが含むＭＰＤＵが有し得るＴＩＤの最大個数を示す。また、ＡＰがＡＰではない無線通信端末がＡＰに伝送するＴＩＤの最大個数情報は、該当ＡＰが伝送する下り（ＤｏｗｎＬｉｎｋ、ＤＬ）Ａ−ＭＰＤＵが有し得るＴＩＤの最大個数を示す。リンク設定手続において、無線通信端末は、マネジメントフレームを使用してＴＩＤの最大個数情報を伝送する。この際、マネジメントフレームは、プローブ要請フレーム（ｐｒｏｂｅ ｒｅｑｕｅｓｔ ｆｒａｍｅ）、プローブ応答フレーム（ｐｒｏｂｅ ｒｅｓｐｏｎｓｅ ｆｒａｍｅ）、認証要請フレーム（ａｕｔｈｅｎｔｉｃａｔｉｏｎ ｒｅｑｕｅｓｔ ｆｒａｍｅ）、認証応答フレーム（ａｕｔｈｅｎｔｉｃａｔｉｏｎ ｒｅｓｐｏｎｓｅ ｆｒａｍｅ）、結合要請フレーム（ａｓｓｏｃｉａｔｉｏｎ ｒｅｑｕｅｓｔ ｆｒａｍｅ）、結合応答フレーム（ａｓｓｏｃｉａｔｉｏｎ ｒｅｓｐｏｎｓｅ ｆｒａｍｅ）、及びビーコンフレーム（ｂｅａｃｏｎ ｆｒａｍｅ）のうち少なくともいずれか一つである。また、ＡＰがビーコンフレームを使用してＴＩＤの最大個数情報を伝送すれば、ＴＩＤの最大個数情報はＡＰが同時に受信し得るＴＩＤの個数を示す。詳しくは、ＡＰがビーコンフレームを使用してＴＩＤの最大個数情報を伝送すれば、ＴＩＤの最大個数情報はいずれか一つの無線通信端末がＡＰに伝送するＡ−ＭＰＤＵが含むＭＰＤＵが有し得るＴＩＤの最大個数ではなく、ＭＵ ＵＬ伝送において伝送が許容されるＴＩＤの最大個数を示す。ＡＰは、ビーコンフレームをＡＰが運営するＢＳＳの全体無線通信端末に伝送するためである。他の具体的な実施例において、ビーコンフレームのＴＩＤの最大個数情報は他の用途に使用されてもよい。また他の具体的な実施利において、ビーコンフレームのｍａｘｉｍｕｍ ｎｕｍｂｅｒ ｏｆ ＴＩＤフィールドはリザーブド（ｒｅｓｅｒｖｅｄ）フィールドであってもよい。
【００６６】
リンク設定手続において、無線通信端末は、受信者からＡｌｌ ＡＣＫを受信し、Ａｌｌ ＡＣＫをプロセスし得るのかを示すＡｌｌ ＡＣＫ ｃａｐａｂｌｅ指示子（ｉｎｄｉｃａｔｏｒ）を伝送する。この際、Ａｌｌ ＡＣＫは受信者がいずれか一つの伝送者が伝送したＡ−ＭＰＤＵまたは複数のＴＩＤ Ａ−ＭＰＤＵが含む全てのＭＰＤＵを受信したことを示すＡＣＫである。Ａｌｌ ＡＣＫが伝送されれば、伝送者はＡｌｌ ＡＣＫから伝送されたフラグメントに関する情報を知ることができない。Ａｌｌ ＡＣＫをプロセスするために、伝送者は伝送者が伝送したフラグメントに関する情報を貯蔵すべきである。伝送者の能力（ｃａｐａｂｉｌｉｔｙ）に応じて、伝道者が伝送したフラグメントに関する情報を貯蔵することができない可能性があるためである。詳しくは、無線通信端末は、ＨＥ ｃａｐａｂｉｌｉｔｙ ｉｎｆｏｒｍａｔｉｏｎエレメントを使用して、Ａｌｌ ＡＣＫをプロセスし得るのかを示すＡｌｌ ＡＣＫ ｃａｐａｂｌｅ指示子を伝送する。
【００６７】
無線通信端末は、一つのＭＳＤＵ（ＭＡＣ ｓｅｒｖｉｃｅ ｄａｔａ ｕｎｉｔ）、一つのＡ（Ａｇｇｒｅｇａｔｅ）−ＭＳＤＵ、及び一つのＭＭＰＤＵ（ｍａｎａｇｅｍｅｎｔ ｐｒｏｔｏｃｏｌ ｄａｔａ ｕｎｉｔ）のうち少なくとも一つをフラグメンテーションして（ｆｒａｇｍｅｎｔ）伝送する。説明の便宜上、フラグメンテーションを介して生成されたＭＳＤＵの一部（ｐｏｒｔｉｏｎ）、Ａ−ＭＳＤＵの一部またはＭＭＰＤＵの一部をフラグメンテーションと称する。また、データを伝送する無線通信端末を伝送者と称し、データを受信する無線通信端末を受信者と称する。
【００６８】
詳しくは、無線通信端末は、一つのＭＳＤＵ、一つのＡ−ＭＳＤＵ、及び一つのＭＭＰＤＵのうち少なくともいずれか一つをフラグメンテーションし、複数のフラグメントを生成する。この際、無線通信端末は生成された複数のフラグメントを複数のＭＰＤＵに伝送する。また、複数のフラグメントを受信した無線通信端末は、複数のフラグメントをデフラグメンテーションして（ｄｅｆｒａｇｍｅｎｔ）、一つのＭＳＤＵ、一つのＡ−ＭＳＤＵ、及び一つのＭＭＰＤＵのうち少なくともいずれか一つを獲得する。この際、ＭＰＤＵはＳ−ＭＰＤＵかＡ−ＭＰＤＵであってもよい。
【００６９】
受信者には、複数のフラグメントをデフラグメンテーションするのに十分なバッファ容量とプロセス能力が必要である。詳しくは、受信者は同じシーケンスナンバーに当たるＭＳＤＵの全てのフラグメントを受信するまで全てのフラグメントを貯蔵すべきである。よって、受信者がフラグメントを受信するために必要な能力を支援すれば、伝送者は受信者にフラグメントを伝送することができる。結局、伝送者は受信者が支援するフラグメンテーションレベルを知る必要がある。無線通信端末は、フラグメンテーションレベルに対してシグナリングする。詳しくは、無線通信端末は、ＡＰとのリンク設定手続において無線通信端末が受信し得るフラグメントのフラグメンテーションレベルに関する情報を伝送し、ＡＰが受信し得るフラグメントのフラグメンテーションレベルに関する情報を受信する。詳しくは、無線通信端末は、ＨＥ Ｃａｐａｂｉｌｉｔｙ ｉｎｆｏｒｍａｔｉｏｎエレメントを使用して、フラグメンテーションレベルに関する情報を伝送する。この際、ＨＥ Ｃａｐａｂｉｌｉｔｙ ｉｎｆｏｒｍａｔｉｏｎエレメントは、無線通信端末の能力を示す。また、無線通信端末はプローブの要請フレーム、プローブの応答フレーム、認証要請フレーム、認証応答フレーム、結合要請フレーム、及び結合応答フレームのうち少なくとも一つを使用してフラグメンテーションレベルに関する情報を伝送する。
【００７０】
上述したように、ＨＥ Ｃａｐａｂｉｌｉｔｙ ｉｎｆｏｒｍａｔｉｏｎエレメントはＭａｘ ｎｕｍｂｅｒ ｏｆ ＴＩＤフィールド、Ａｌｌ ＡＣＫ ｃａｐａｂｌｅ指示子、及び無線通信端末が支援するＦｒａｇｍｅｎｔａｔｉｏｎレベルを示す情報（Ｆｒａｇｍｅｎｔａｔｉｏｎ ｓｕｐｐｏｒｔ ｌｅｖｅｌ）を含む。
【００７１】
また、無線通信端末は、ＡＤＤＢＡ（Ａｄｄ Ｂｌｏｃｋ ＡＣＫ）手続においてＢＡパラメータを設定する。この際、ＢＡパラメータは、ＢＡフレーム伝送及びＢＡフレーム受信に使用されるパラメータである。無線通信端末は、ＡＤＤＢＡ要請フレームを使用してＡＣＫをＢＡフレームの形に要請する。また、無線通信端末は、ＡＤＤＢＡ応答フレームを使用してＡＤＤＢＡ要請フレームに対する応答を伝送する。ＡＤＤＢＡ要請フレームとＡＤＤＢＡ応答フレームは、Ｂｌｏｃｋ Ａｃｋ Ｐａｒａｍｅｔｅｒ Ｓｅｔエレメントを含む。この際、Ｂｌｏｃｋ Ａｃｋ Ｐａｒａｍｅｔｅｒ Ｓｅｔエレメントは、ＢＡパラメータに関する情報を含む。また、無線通信端末は、ＴＩＤごとにＢＡパラメータを設定する。詳しくは、無線通信端末は、ＴＩＤごとにＢＡパラメータ設定を交渉（ｎｅｇｏｔｉａｔｅ）する。具体的な実施例において、無線通信端末は、Ｂｌｏｃｋ Ａｃｋ Ｐａｒａｍｅｔｅｒ Ｓｅｔエレメントが含むＴＩＤフィールドを使用し、ＢＡパラメータ設定交渉の対象であるＴＩＤを指定する。伝送者はＡＤＤＢＡ要請フレームを伝送し、ＢＡパラメータ設定を要請する。受信者はＡＤＤＢＡ要請フレームを受信し、ＡＤＤＢＡ要請フレームに対するＡＤＤＢＡ応答フレームを伝送して、ＢＡパラメータ設定を確定する。伝送者がＡＤＤＢＡ応答フレームを受信し、ＡＤＤＢＡ応答フレームに対するＡＣＫフレームを伝送したら、伝送者と受信者はＢＡパラメータを設定することができる。
【００７２】
無線通信端末はＡＤＤＢＡ手続においてデータを受信した後、ＢＡフレームを伝送するまで貯蔵し得るＭＰＤＵの数を示すバッファ大きさ情報を伝送する。詳しくは、無線通信端末は、ＡＤＤＢＡ手続においてＢｌｏｃｋ Ａｃｋ Ｐａｒａｍｅｔｅｒ Ｓｅｔエレメントを使用し、バッファ大きさ情報を伝送する。無線通信端末は、バッファ大きさ情報が有し得る値の範囲に基づいてＢＡビットマップの長さを設定する。詳しくは、バッファ大きさ情報が有し得る値の範囲が１からＸの間であれば、無線通信端末はＢＡビットマップの長さをＸビットに設定する。この際、無線通信端末がＢＡビットマップの長さに関する情報を受信できなければ、無線通信端末はＢＡビットマップの長さをＸビットに設定する。
【００７３】
ＡＰが無線通信端末に下り伝送をすれば、ＡＰはリンク設定手続においてシグナリングされた無線通信端末のｃａｐａｂｉｌｉｔｙ及びＡＤＤＢＡ手続で設定されたＢＡパラメータに基づいてＡ−ＭＰＤＵを伝送する。この際、無線通信端末は、ＡＰのｃａｐａｂｉｌｉｔｙ及びＡＤＤＢＡ手続において設定されたＢＡパラメータに基づき、ＡＰにＢＡフレームまたはＭ−ＢＡ（Ｍｕｌｔｉ−ＳＴＡ Ｂｌｏｃｋ ＡＣＫ）フレームを伝送する。
【００７４】
ＡＰが複数の無線通信端末からＡ−ＭＰＤＵを同時に受信すれば、ＡＰが受信した複数のＭＰＤＵをバッファに貯蔵し、スコアボード（ｓｃｏｒｅ ｂｏａｒｄ）を維持することが難しい恐れがある。この際、スコアボードはＡＰがＭＰＤＵそれぞれの受信状態を記録した情報を示す。よって、ＡＰはトリガーフレームを使用し、無線通信端末それぞれが伝送するＡ−ＭＰＤＵが有し得るＴＩＤの最大個数を指示する。詳しくは、ＡＰはトリガーフレームのＵｓｅｒ Ｉｎｆｏフィールドを使用し、Ｕｓｅｒ Ｉｎｆｏフィールドに当たる無線通信端末が伝送する最大のＴＩＤを指示する。この際、トリガーフレームを受信した無線通信端末は、トリガーフレームに基づいてＡ−ＭＰＤＵが有し得るＴＩＤの最大個数を設定する。詳しくは、トリガーフレームを受信した無線通信端末は、トリガーフレームが指示するＴＩＤの最大個数に基づいて伝送するＡ−ＭＰＤＵが含むＭＰＤＵが有するＴＩＤの個数を設定し、ＡＰにＡ−ＭＰＤＵを伝送する。例えば、トリガーフレームを受信した無線通信端末は、トリガーフレームが指示するＴＩＤの最大個数を越えないように伝送するＡ−ＭＰＤＵが含むＭＰＤＵが有するＴＩＤの個数を設定し、ＡＰにＡ−ＭＰＤＵを伝送する。
【００７５】
また、無線通信端末は、ＳＵ伝送において複数のＴＩＤを有するＡ−ＭＰＤＵに伝送する。詳しくは、無線通信端末がＳＵ（Ｓｉｎｇｌｅ Ｕｓｅｒ）上がり伝送においてＨＥ ＭＵ ＰＰＤＵを使用すれば、無線通信端末が複数のＴＩＤを有するＡ−ＭＰＤＵを伝送することが制限される恐れがある。無線通信端末は、ＳＵ ＵＬ伝送において、ＨＥ ＭＵ ＰＰＤＵを使用して狭い周波数帯域で比較的広い伝送範囲を使用する。この際、無線通信端末が複数のＴＩＤを有するＡ−ＭＰＤＵを含むＡ−ＭＰＤＵを伝送することが許容されれば、他の無線通信端末との競争の側面で衡平性問題が生じる恐れがある。よって、無線通信端末がＳＵ ＵＬ伝送においてＨＥ ＭＵ ＰＰＤＵを使用すれば、無線通信端末が複数のＴＩＤを有するＡ−ＭＰＤＵを伝送することが制限される可能性がある。図８乃至図１５を介して、複数のＡ−ＭＰＤＵに関する伝送者及び受信者の具体的な動作を説明する。
【００７６】
上述したように、受信者がＢＡ合意のあるデータを受信すれば、受信者は受信したデータをＴＩＤ及びＡＩＤ別に記録するスコアボードを維持する。受信者がＢＡフレーム伝送を要請するＢＡＲフレームを受信すれば、受信者は一定時間内にスコアボードのデータ受信記録に基づいてＢＡフレームを伝送すべきである。この際、一定時間はＳＩＦＳである。受信者は、効率的なプロセスのためにスコアボードをワンチップメモリの形に具現する。また、受信者は、複数のＢＡセッションに関する記録を一つのスコアボードに記録する。よって、ＡＰが複数の無線通信端末からＡ−ＭＰＤＵを同時に受信すれば、複数の無線通信端末の個数が増えるほどＡＰはスコアボードを維持することが難しい恐れがある。よって、ＡＰはＵＬ ＭＵ伝送に参与する無線通信端末が伝送するＭＰＤＵのＴＩＤの個数を制限することができる。
【００７７】
ＡＰはトリガー情報を使用し、無線通信端末それぞれが伝送するＡ−ＭＰＤＵが有し得るＴＩＤの最大個数を指示する。この際、トリガー情報は、トリガーフレーム及びＭＡＣヘッダに含まれたＵＬ ＭＵ応答スケジューリング（ＵＬ ＭＵ ｒｅｓｐｏｎｓｅ ｓｃｈｅｄｕｌｉｎｇ、ＵＬ ＭＵ ＲＳ）情報のうち少なくともいずれか一つである。図８乃至図１２を介して、ＡＰがトリガーフレームを使用し、無線通信端末それぞれが伝送するＡ−ＭＰＤＵが有し得るＴＩＤの最大個数を指示する動作を説明する。
【００７８】
図８は、本発明の実施例による無線通信端末がＴＩＤの最大個数情報に基づいてＡ−ＭＰＤＵを伝送する動作を示す図である。
【００７９】
ＡＰはトリガーフレームを使用し、無線通信端末がＡＰに伝送するＡ−ＭＰＤＵが含むＭＰＤＵの種類に関する情報を指示する。上述したように、ＡＰはトリガーフレームを使用し、無線通信端末がＡＰに伝送するＡ−ＭＰＤＵが有し得るＴＩＤの最大個数を指示する。詳しくは、ＡＰはトリガーフレームのＵｓｅｒ Ｉｎｆｏフィールドを使用し、Ｕｓｅｒ Ｉｎｆｏフィールドに当たる無線通信端末が伝送する最大のＴＩＤを指示する。具体的な実施例において、ＡＰはトリガーフレームのＵｓｅｒ ＩｎｆｏフィールドのＴＩＤ Ａｇｇｒｅｇａｔｉｏｎ Ｌｉｍｉｔフィールドを使用し、Ｕｓｅｒ Ｉｎｆｏフィールドに当たる無線通信端末が伝送する最大のＴＩＤを指示する。この際、トリガーフレームを受信した無線通信端末は、トリガーフレームに基づいてＡ−ＭＰＤＵが有し得るＴＩＤの個数を設定する。詳しくは、トリガーフレームを受信した無線通信端末は、トリガーフレームが指示するＴＩＤの最大個数に基づいてＡ−ＭＰＤＵが含むＭＰＤＵが有するＴＩＤの個数を設定し、ＡＰにＡ−ＭＰＤＵを伝送する。例えば、トリガーフレームを受信した無線通信端末は、トリガーフレームが指示するＴＩＤの最大個数を越えないようにＡ−ＭＰＤＵが含むＭＰＤＵが有するＴＩＤの個数を設定し、ＡＰに該当Ａ−ＭＰＤＵを伝送する。これを介し、ＡＰはスコアボードを効率的に管理することができる。また、複数の無線通信端末別のＢＡビットマップの長さを調節することができる。
【００８０】
具体的な実施例において、ＴＩＤ Ａｇｇｒｅｇａｔｉｏｎ Ｌｉｍｉｔフィールドの値は、トリガーフレームを受信した無線通信端末がＡＰに伝送するＡ−ＭＰＤＵが有し得るＴＩＤの最大個数を示す。例えば、ＴＩＤ Ａｇｇｒｅｇａｔｉｏｎ Ｌｉｍｔフィールドが３ビットフィールドであって０から７までの値を有すれば、０から７までの値それぞれはＡＰに伝送するＡ−ＭＰＤＵが有し得るＴＩＤの最大個数が１から８までのうちいずれか一つに当たることを示す。
【００８１】
他の具体的な実施例において、ＡＰはトリガーフレームを使用し、トリガーフレームから指示する無線通信端末がＴＩＤを有するＭＰＤＵを集合して、ＡＰに伝送するＡ−ＭＰＤＵを生成できないことを指示する。詳しくは、ＡＰはＴＩＤ Ａｇｇｒｅｇａｔｉｏｎ Ｌｉｍｉｔフィールドを０に設定し、トリガーフレームから指示する無線通信端末がＴＩＤを有するＭＰＤＵを集合して、ＡＰに伝送するＡ−ＭＰＤＵを生成できないことを指示する。但し、Ａ−ＭＰＤＵがＴＩＤを有しないＭＰＤＵであっても、即刻の応答を要請するＭＰＤＵを含めば、受信者がＡ−ＭＰＤＵに対する応答として伝送するＢＡフレームの大きさが増加する可能性がある。また、受信者のスコアボードの管理負担が大きくなる恐れがある。この際、即刻の応答は、同じＴＸＯＰ（Ｔｒａｎｓｍｉｓｓｉｏｎ Ｏｐｐｏｒｔｕｎｉｔｙ）内で受信者が予め指定された期間内に伝送者に応答を伝送することを示す。詳しくは、予め指定された期間はＳＩＦＳ（Ｓｈｏｒｔ Ｉｎｔｅｒ−Ｆｒａｍｅ Ｓｐａｃｅ）である。
【００８２】
他の具体的な実施例において、ＡＰはトリガーフレームを使用し、トリガーフレームが指示する無線通信端末が即刻の応答（ｉｍｍｅｄｉａｔｅ ｒｅｓｐｏｎｓｅ）を要請するＭＰＤＵを集合して、ＡＰに伝送するＡ−ＭＰＤＵを生成できないことを指示する。この際、即刻の応答を要請するＭＰＤＵは、ＴＩＤを有するＱｏＳ（Ｑｕａｌｉｔｙ ｏｆ Ｓｅｒｖｉｃｅ）データを含むＭＰＤＵを含む。また、即刻の応答を要請するＭＰＤＵは、即刻の応答を要請するＭＭＰＤＵ（Ｍａｎａｇｅｍｅｎｔ ＭＰＤＵ）を含む。詳しくは、即刻の応答を要請するＭＰＤＵは、アクションフレームを含む。ＡＰはトリガーフレームのＵｓｅｒ ＩｎｆｏフィールドのＴＩＤ Ａｇｇｒｅｇａｔｉｏｎ Ｌｉｍｉｔフィールドの値を０に設定し、Ｕｓｅｒ Ｉｎｆｏフィールドに当たる無線通信端末が即刻の応答を要請するＭＰＤＵを集合して、ＡＰに伝送するＡ−ＭＰＤＵを生成できないことを指示する。ＴＩＤ Ａｇｇｒｅｇａｔｉｏｎ Ｌｉｍｉｔフィールドの値が０以外の値を示せば、トリガーフレームが指示する無線通信端末がＡＰに伝送するＡ−ＭＰＤＵが有し得る最大のＴＩＤの個数を示す。また、トリガーフレームが無線通信端末が即刻の応答を要請するＭＰＤＵを集合しＡＰに伝送するＡ−ＭＰＤＵを生成できないことを指示すれば、無線通信端末は即刻の応答を要請しないＭＰＤＵを集合してＡＰに伝送するＡ−ＭＰＤＵを生成する。詳しくは、トリガーフレームの無線通信端末に当たるＵｓｅｒ ＩｎｆｏフィールドのＴＩＤ Ａｇｇｒｅｇａｔｉｏｎ Ｌｉｍｉｔフィールドの値が０であれば、無線通信端末は即刻の応答を要請しないＭＰＤＵを集合してＡＰに伝送するＡ−ＭＰＤＵを生成する。具体的な実施例において、即刻の応答を要請しないＭＰＤＵは、ＡＣＫ ＰｏｌｉｃｙがＮｏ Ａｃｋに設定されたＱｏＳデータを含むＭＰＤＵを含む。ＡＣＫ ＰｏｌｉｃｙがＮｏ Ａｃｋに設定されたことは、該当フレームに対するＡＣＫを要請しないことを意味する。また、即刻の応答を要請しないＭＰＤＵは、ＱｏＳ Ｎｕｌｌフレームを含む。この際、ＱｏＳ Ｎｕｌｌフレームは、ＡＣＫ ＰｏｌｉｃｙがＮｏ Ａｃｋと設定されたＱｏＳ Ｎｕｌｌフレームである。また、即刻の応答を要請しないＭＰＤＵは、アクションＮｏ Ａｃｋフレームを含む。
【００８３】
また、ＡＰはトリガーフレームを使用してトリガーフレームが指示する無線通信端末がＴＩＤ個数の制限なくＭＰＤＵを集合してＡ−ＭＰＤＵを生成し、生成したＡ−ＭＰＤＵをＡＰに伝送し得ることを指示する。詳しくは、ＡＰはトリガーフレームのＵｓｅｒ ＩｎｆｏフィールドのＴＩＤ Ａｇｇｒｅｇａｔｉｏｎ Ｌｉｍｉｔフィールドの値を７に設定し、Ｕｓｅｒ Ｉｎｆｏフィールドに当たる無線通信端末がＴＩＤ個数の制限なくＭＰＤＵを集合してＡ−ＭＰＤＵを生成し、生成したＡ−ＭＰＤＵをＡＰに伝送することを指示する。
【００８４】
図８の実施例において、ＡＰはトリガーフレームの第３ステーションに当たるＵｓｅｒ ＩｎｆｏフィールドのＴＩＤ Ａｇｇｒｅｇａｔｉｏｎ Ｌｉｍｉｔフィールドの値を３に設定し、第３ステーションＳＴＡ３がＡＰに伝送するＡ−ＭＰＤＵが有し得る最大のＴＩＤ個数が３であることを指示する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵのＴＩＤ個数を決定する。詳しくは、第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵのＴＩＤ個数を３に決定する。第３ステーションＳＴＡ１は、ＴＩＤが１のＭＰＤＵ、ＴＩＤが２のＭＰＤＵ、ＴＩＤが３のＭＰＤＵ、アクションフレーム、及びＱｏＳ Ｎｕｌｌフレームを集合し、ＡＰに伝送するＡ−ＭＰＤＵを生成する。第３ステーションＳＴＡ３は、ＡＰに生成したＡ−ＭＰＤＵを伝送する。ＡＰは、第３ステーションＳＴＡ３から受信したＡ−ＭＰＤＵに基づき、第３ステーションＳＴＡ３を含む複数の無線通信端末にＭ−ＢＡフレームを伝送する。このような実施例を介し、ＡＰはＭ−ＢＡフレームのデュレーションを調節する。図８の実施例において、第３ステーションＳＴＡ３は、ＱｏＳ Ｎｕｌｌフレーム、アクションフレームのようにＴＩＤを有しないＭＰＤＵは、全てＴＩＤの最大個数が示すＴＩＤの個数に含まれないと処理する。但し、特定のＴＩＤに対するＢＡ合意がなければ、該当ＴＩＤを有しないＭＰＤＵに対する応答はＭ−ＢＡフレームに影響を及ぼさない。また、上述したように、特定のＴＩＤに当たらないＭＰＤＵであっても即刻の応答を要請することができる。よって、無線通信端末がＡＰに伝送するＡ−ＭＰＤＵが有するＴＩＤの個数とＴＩＤの最大個数を比較する具体的な例が必要である。それについては、図９乃至図１２を介して詳しく説明する。
【００８５】
図９は、本発明の他の実施例による無線通信端末がＴＩＤの最大個数情報に基づいてＡ−ＭＰＤＵを伝送する動作を示す図である。
【００８６】
ＡＰはトリガーフレームを使用し、無線通信端末が伝送するＡ−ＭＰＤＵが有し得るＢＡ合意のあるＴＩＤの最大個数を指示する。無線通信端末は、ＢＡ合意のあるＴＩＤ個数に基づき、Ａ−ＭＰＤＵが有するＴＩＤ個数を算定する。上述した実施例において、無線通信端末はＡＰに伝送するＡ−ＭＰＤＵが有するＴＩＤ個数とＴＩＤの最大個数を比較する際、無線通信端末はＢＡ合意のあるＴＩＤ個数をＴＩＤの最大個数と比較する。詳しくは、無線通信端末はＡＰに伝送するＡ−ＭＰＤＵが有するＴＩＤ個数とＴＩＤの最大個数を比較する際、無線通信端末はＢＡ合意のないＴＩＤをＡ−ＭＰＤＵのＴＩＤの個数として算定しない。受信者はＢＡ合意のないＴＩＤに当たるデータをバッファに貯蔵せずにそのまま上位レイヤーに伝達するため、ＢＡ合意のないＴＩＤに当たるデータの受信はスコアボードの管理に影響を及ぼさないためである。また、無線通信端末がＢＡ合意のないＴＩＤをＴＩＤ個数として算定すれば、バッファ管理及びＡ−ＭＰＤＵの構成が制限されるためである。詳しくは、ＴＩＤ Ａｇｇｒｅｇａｔｉｏｎ Ｌｉｍｉｔフィールドの値が１乃至６であれば、無線通信端末はＢＡ合意のあるＴＩＤの個数がＴＩＤ Ａｇｇｒｅｇａｔｉｏｎ Ｌｉｍｉｔフィールドの値以下であるＡ−ＭＰＤＵを生成し、ＡＰに生成したＡ−ＭＰＤＵを伝送する。この際、無線通信端末は、ＢＡ合意のないＴＩＤに当たるＭＰＤＵをＴＩＤ Ａｇｇｒｅｇａｔｉｏｎ Ｌｉｍｉｔフィールドの値に関係なくＡ−ＭＰＤＵに追加する。また、ＡＰはトリガーフレームのＰｅｒ Ｕｓｅｒ ＩｎｆｏのＴＩＤ Ａｇｇｒｅｇａｔｉｏｎ Ｌｉｍｉｔフィールドの値を０に設定し、Ｐｅｒ Ｕｓｅｒ Ｉｎｆｏフィールドに当たる無線通信端末がＢＡ合意のあるＴＩＤであるのかに関係なく即刻の応答を要請しないＭＰＤＵを集合してＡ−ＭＰＤＵを生成し、ＡＰに伝送し得ることを指示する。詳しくは、トリガーフレームの無線通信端末に当たるＵｓｅｒ ＩｎｆｏフィールドのＴＩＤ Ａｇｇｒｅｇａｔｉｏｎ Ｌｉｍｉｔフィールドの値が０であれば、無線通信端末は即刻の応答を要請しないＭＰＤＵを集合してＡＰに伝送するＡ−ＭＰＤＵを生成する。
【００８７】
図９の実施例において、ＡＰはトリガーフレームの第３ステーションに当たるＵｓｅｒ ＩｎｆｏフィールドのＴＩＤ Ａｇｇｒｅｇａｔｉｏｎ Ｌｉｍｉｔフィールドの値を３に設定し、第３ステーションＳＴＡ３がＡＰに伝送するＡ−ＭＰＤＵが有し得るＢＡ合意のあるＴＩＤの最大個数が３であることを指示する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵが有するＢＡ合意のあるＴＩＤ個数を決定する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵがＢＡ合意のあるＴＩＤを３つ有すると決定する。ＴＩＤ１、２、４に対してはＢＡ合意があり、ＴＩＤ５に対してはＢＡ合意がない。よって、第３ステーションＳＴＡ１は、ＴＩＤが１のＭＰＤＵ、ＴＩＤが２のＭＰＤＵ、ＴＩＤが３のＭＰＤＵと、ＴＩＤが５のＭＰＤＵ、アクションＮｏ Ａｃｋフレーム、及びＱｏＳ Ｎｕｌｌフレームを集合し、ＡＰに伝送するＡ−ＭＰＤＵを生成する。第３ステーションＳＴＡ３は、ＡＰに生成したＡ−ＭＰＤＵを伝送する。ＡＰは、第３ステーションＳＴＡ３から受信したＡ−ＭＰＤＵに基づき、第３ステーションＳＴＡ３を含む複数の無線通信端末にＭ−ＢＡフレームを伝送する。このような実施例を介し、ＡＰはＭ−ＢＡフレームのデュレーションを調節する。
【００８８】
ＢＡ合意のないＴＩＤに当たるデータもＡＣＫフレーム伝送を要請することができる。この際、受信者はＢＡ合意のないＴＩＤに当たるＭＰＤＵに対する応答として、ＢＡビットマップを含まないＰｅｒ ＡＩＤ ＴＩＤフィールドを含むＭ−ＢＡフレームを伝送する。よって、ＢＡ合意のないＴＩＤに当たるＭＰＤＵであっても、Ｍ−ＢＡフレームのデュレーションに影響を及ぼす可能性がある。よって、Ａ−ＭＰＤＵが有し得るＴＩＤの最大個数は、即刻の応答を要請するＴＩＤの個数及び即刻の応答を要請するＴＩＤのないフレームの個数に基づいて算定される。それについては、図１０を介して詳しく説明する。
【００８９】
図１０は、本発明のまた他の実施例による無線通信端末がＴＩＤの最大個数情報に基づいてＡ−ＭＰＤＵを伝送する動作を示す図である。
【００９０】
ＡＰはトリガーフレームを使用し、無線通信端末が伝送するＡ−ＭＰＤＵが有し得る即刻の応答を要請するＭＰＤＵの個数を限定する。詳しくは、ＡＰはトリガーフレームを使用し、無線通信端末が伝送するＡ−ＭＰＤＵが有し得る即刻の応答を要請するＴＩＤの個数を指示する。無線通信端末は、即刻の応答を要請するＴＩＤ個数に基づき、Ａ−ＭＰＤＵが有するＴＩＤ個数を算定する。上述した実施例において、無線通信端末は、ＡＰに伝送するＡ−ＭＰＤＵが有するＴＩＤ個数とＴＩＤの最大個数を比較する際、無線通信端末はＡ−ＭＰＤＵが有する即刻の応答を要請するＴＩＤ個数をＴＩＤの最大個数と比較する。無線通信端末はＡＰに伝送するＡ−ＭＰＤＵが有するＴＩＤ個数とＴＩＤの最大個数を比較する際、即刻の応答を要請しないＭＰＤＵを考慮せずにＡ−ＭＰＤＵのＴＩＤの個数を算定する。よって、無線通信端末は、ＴＩＤの最大個数とは関係なく即刻の応答を要請しないＴＩＤに当たるＭＰＤＵを集合する。また、無線通信端末は、ＴＩＤの最大個数とは関係なく即刻の応答を要請しないＴＩＤのないフレームを集合する。また、即刻の応答を要請するＴＩＤの個数は、Ａ−ＭＰＤＵが含む即刻の応答を要請するＴＩＤのないフレームの個数とＡ−ＭＰＤＵが含む即刻の応答を要請するＴＩＤの個数の和である。ＴＩＤのないフレームの個数は、ＴＩＤのないフレームの種類を示す。また、Ｍ−ＢＡフレームのｐｅｒ ＡＩＤ ＴＩＤにおいてＴＩＤが１５と示されるアクションフレームも、即刻の応答を要請するＴＩＤのないフレームのうち一つである。即刻の応答を要請しないＴＩＤに当たるＭＰＤＵは、ＡＣＫ ｐｏｌｉｃｙがＮｏ Ａｃｋと設定されたＴＩＤに当たるＭＰＤＵである。また、即刻の応答を要請しないＴＩＤに当たるＭＰＤＵは、ＱｏＳ Ｎｕｌｌフレームである。この際、ＱｏＳ ＮｕｌｌフレームのＡＣＫ ＰｏｌｉｃｙはＮｏ Ａｃｋである。また、即刻の応答を要請しないＴＩＤのないフレームは、アクションＮｏ Ａｃｋフレームである。
【００９１】
上述したように、ＡＰはトリガーフレームトリガーフレームのＰｅｒ Ｕｓｅｒ ＩｎｆｏのＴＩＤ Ａｇｇｒｅｇａｔｉｏｎ Ｌｉｍｉｔフィールドの値を０に設定し、Ｐｅｒ Ｕｓｅｒ Ｉｎｆｏフィールドに当たる無線通信端末がＢＡ合意のあるＴＩＤであるのかに関係なく即刻の応答を要請しないＭＰＤＵを集合してＡ−ＭＰＤＵを生成し、ＡＰに伝送し得ることを指示する。詳しくは、トリガーフレームの無線通信端末に当たるＵｓｅｒ ＩｎｆｏフィールドのＴＩＤ Ａｇｇｒｅｇａｔｉｏｎ Ｌｉｍｉｔフィールドの値が０であれば、無線通信端末は即刻の応答を要請しないＭＰＤＵを集合してＡＰに伝送するＡ−ＭＰＤＵを生成する。
【００９２】
図１０の実施例において、ＡＰはトリガーフレームの第３ステーションに当たるＵｓｅｒ ＩｎｆｏフィールドのＴＩＤ Ａｇｇｒｅｇａｔｉｏｎ Ｌｉｍｉｔフィールドの値を３に設定し、第３ステーションＳＴＡ３がＡＰに伝送するＡ−ＭＰＤＵが有し得る即刻の応答を要請するＴＩＤの個数とＡ−ＭＰＤＵが含む即刻の応答を要請するＴＩＤのないフレーム個数の和の最大値が３であることを指示する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵが有する即刻の応答を要請するＴＩＤの個数と即刻の応答を要請するＴＩＤのないフレーム個数の和の個数を決定する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵが含む即刻の応答を要請するＴＩＤとＴＩＤを有しない即刻の応答を要請するフレーム個数の和を３に決定する。ＴＩＤ１と２は即刻の応答を要請し、ＴＩＤ４と５はＡＣＫ ｐｏｌｉｃｙがＮｏ Ａｃｋと設定されている。また、アクションフレームは即刻の応答を要請する。よって、第３ステーションＳＴＡ１は、ＴＩＤが１のＭＰＤＵ、ＴＩＤが２のＭＰＤＵ、ＴＩＤが４のＭＰＤＵと、ＴＩＤが５のＭＰＤＵ、アクションフレーム、アクションＮｏ Ａｃｋフレーム、及びＱｏＳ Ｎｕｌｌフレームを集合し、ＡＰに伝送するＡ−ＭＰＤＵを生成する。第３ステーションＳＴＡ３は、ＡＰに生成したＡ−ＭＰＤＵを伝送する。ＡＰは、第３ステーションＳＴＡ３から受信したＡ−ＭＰＤＵに基づき、第３ステーションＳＴＡ３を含む複数の無線通信端末にＭ−ＢＡフレームを伝送する。このような実施例を介し、ＡＰはＭ−ＢＡフレームのデュレーションを調節する。
【００９３】
図１１は、本発明の更に他の実施例による無線通信端末がＴＩＤの最大個数情報に基づいてＡ−ＭＰＤＵを伝送する動作を示す図である。
【００９４】
複数のＴＩＤ Ａ−ＭＰＤＵは、複数のアクションフレームを含まない。よって、複数のＴＩＤ Ａ−ＭＰＤＵは、一つのアクションフレームのみを含む。また、Ａ−ＭＰＤＵがアクションフレームを追加に含めば、Ｍ−ＢＡフレームの長さは２オクテット（ｏｃｔｅｔ）程度長くなる。よって、Ａ−ＭＰＤＵにアクションフレームが追加されることで発生するＭ−ＢＡデュレーションの変化は微々である。また、アクションフレームはＱｏＳデータフレームより重要度が高いといえる。
【００９５】
無線通信端末は、ＡＰに伝送するＡ−ＭＰＤＵが有するＴＩＤ個数とＴＩＤの最大個数を比較する際、無線通信端末はアクションフレームの個数をＡ−ＭＰＤＵのＴＩＤの個数として算定しない。詳しくは、ＴＩＤ Ａｇｇｒｅｇａｔｉｏｎ Ｌｉｍｉｔフィールドの値が予め指定された範囲内であれば、無線通信端末は、ＴＩＤ Ａｇｇｒｅｇａｔｉｏｎ Ｌｉｍｉｔフィールドの値とは関係なくアクションフレームを集合し、ＡＰに伝送するＡ−ＭＰＤＵを生成する。詳しくは、図８乃至図１０の実施例において、無線通信端末は、アクションフレームの個数をＡ−ＭＰＤＵのＴＩＤ個数として算定しない。
【００９６】
図１１の実施例において、ＡＰはトリガーフレームの第３ステーションに当たるＵｓｅｒ ＩｎｆｏフィールドのＴＩＤ Ａｇｇｒｅｇａｔｉｏｎ Ｌｉｍｉｔフィールドの値を２に設定し、第３ステーションＳＴＡ３がＡＰに伝送するＡ−ＭＰＤＵが有し得る即刻の応答を要請するＴＩＤの個数とアクションフレームを除いたＡ−ＭＰＤＵが含む即刻の応答を要請するＴＩＤのないフレーム個数の和の最大値が３であることを指示する。この際、アクションフレームは最大値算定から除外される。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵが有する即刻の応答を要請するＴＩＤの個数とアクションフレームを除いたＡ−ＭＰＤＵが含む即刻の応答を要請するＴＩＤのないフレーム個数の和の個数を決定する。第３ステーションＳＴＡ３は、トリガーフレームの第３ステーションに当たるＵｓｅｒ ＩｎｆｏフィールドのＴＩＤ Ａｇｇｒｅｇａｔｉｏｎ Ｌｉｍｉｔフィールドの値に基づき、ＡＰに伝送するＡ−ＭＰＤＵが即刻の応答を要請するＴＩＤを２つ有すると決定する。ＴＩＤ１と２は即刻の応答を要請し、ＴＩＤ４と５はＡＣＫ ｐｏｌｉｃｙがＮｏ Ａｃｋと設定されている。また、アクションフレームは個数算定から除外される。よって、第３ステーションＳＴＡ１は、ＴＩＤが１のＭＰＤＵ、ＴＩＤが２のＭＰＤＵ、ＴＩＤが４のＭＰＤＵと、ＴＩＤが５のＭＰＤＵ、アクションフレーム、アクションＮｏ Ａｃｋフレーム、及びＱｏＳ Ｎｕｌｌフレームを集合し、ＡＰに伝送するＡ−ＭＰＤＵを生成する。第３ステーションＳＴＡ３は、ＡＰに生成したＡ−ＭＰＤＵを伝送する。ＡＰは、第３ステーションＳＴＡ３から受信したＡ−ＭＰＤＵに基づき、第３ステーションＳＴＡ３を含む複数の無線通信端末にＭ−ＢＡフレームを伝送する。このような実施例を介し、ＡＰはＭ−ＢＡフレームのデュレーションを調節する。
【００９７】
ＡＰは、トリガー情報を使用し、トリガー情報に対する応答を伝送する無線通信端末が応答を伝送する前にチャネルセンシングを行うように指示する。詳しくは、ＡＰは、トリガー情報のＣＳ Ｒｅｑｕｉｒｅｄフィールド値を設定し、トリガー情報に対する応答を伝送する無線通信端末が応答を伝送する前にチャネルセンシングを行うように指示する。ＣＳ Ｒｅｑｕｉｒｅｄフィールドは、無線通信端末が該当トリガー情報に対する応答を伝送する際、チャネルセンシングが必要であるのかを示す。この際、ＣＳ Ｒｅｑｕｉｒｅｄフィールドが１であれば、ＣＳ Ｒｅｑｕｉｒｅｄフィールドはチャネルセンシングが必要であることを示す。また、トリガー情報を受信した無線通信端末は、トリガー情報に対する応答を伝送する際、トリガー情報のＣＳ Ｒｅｑｕｉｒｅｄフィールドに基づいてチャネルセンシング可否を決定する。詳しくは、トリガー情報のＣＳ Ｒｅｑｕｉｒｅｄフィールドの値が１であれば、トリガー情報を受信した無線通信端末は、トリガー情報に対する応答を伝送する際にチャネルセンシングを行う。この際、チャネルセンシングは、トリガー情報に対する応答を伝送するチャネルが遊休であるのか否かを感知することを示す。また、チャネルセンシングはＣＣＡ動作を示す。
【００９８】
図１２は、本発明の実施例による無線通信端末がトリガーフレームのＴＩＤの最大個数情報を設定する動作を示す図である。
【００９９】
ＡＰがトリガー情報を使用してデータ伝送に対する即刻の応答をトリガリングすれば、ＡＰはトリガー情報を使用して無線通信端末がトリガー情報に対する応答を伝送する際、チャネルセンシングが必要ではないと指示する。詳しくは、ＡＰがトリガー情報を使用してデータ伝送に対する即刻の応答をトリガリングし、トリガー情報のｃｏｍｍｏｎ ｉｎｆｏフィールドのｌｅｎｇｔｈフィールドの値が予め指定された値以下であれば、ＡＰはトリガー情報を使用して無線通信端末がトリガー情報に対する応答を伝送する際、チャネルセンシングが必要ではないと指示する。この際、ｌｅｎｇｔｈフィールドは、トリガー基盤ＰＰＤＵの長さに関する情報を示す。詳しくは、ｌｅｎｇｔｈフィールドは、トリガー基盤ＰＰＤＵの長さに関する情報を示す。また、予め指定された値は４１８バイトである。これを介し、ＡＰは、トリガー情報に対する応答を伝送する無線通信端末がチャネルセンシングのため即刻の応答を伝送できないことを防止する。この際、無線通信端末がトリガー情報に対する応答とデータを共に送る動作が問題となる。ＥＤＣＡで動作する無線通信端末がデータを伝送すれば、無線通信端末は必ずチャネルセンシングを行ってからデータを伝送するためである。また、トリガー情報に対する応答を伝送する無線通信端末が即刻の応答を要請するＭＰＤＵを伝送すれば、追加の伝送シーケンスが要求されるためである。
【０１００】
トリガーフレームが指示する無線通信端末がトリガー情報に対する応答を伝送する際にチャネルセンシングが要求されなければ、ＡＰはトリガーフレームを使用し、トリガーフレームが指示する無線通信端末が即刻の応答を要請するＭＰＤＵを集合してＡ−ＭＰＤＵを生成し、生成したＡ−ＭＰＤＵを伝送できないことを指示する。詳しくは、トリガーフレームが指示する無線通信端末がトリガー情報に対する応答を伝送する際にチャネルセンシングが要求されなければ、ＡＰはトリガーフレームのＵｓｅｒ ＩｎｆｏフィールドのＴＩＤ Ａｇｇｒｅｇａｔｉｏｎ Ｌｉｍｉｔフィールドの値を０に設定し、Ｕｓｅｒ Ｉｎｆｏフィールドに当たる無線通信端末が即刻の応答を要請するＭＰＤＵを集合して、Ａ−ＭＰＤＵを生成できないことを指示する。詳しくは、ＡＰがトリガー情報を使用してデータ伝送に対する即刻の応答をトリガリングし、トリガー情報のｃｏｍｍｏｎ ｉｎｆｏフィールドの値が予め指定された値以下であれば、トリガーフレームが指示する無線通信端末が即刻の応答を要請するＭＰＤＵを集合してＡ−ＭＰＤＵを生成し、生成したＡ−ＭＰＤＵを伝送できないことを指示する。このような実施例において、無線通信端末は即刻の応答を要請しないＭＰＤＵを集合してＡ−ＭＰＤＵを生成し、生成したＡ−ＭＰＤＵをＡＰに伝送する。
【０１０１】
図１２の実施例において、ＡＰは複数のステーションＨＥ ＭＵ ＰＰＤＵを伝送する。この際、ＨＥ ＭＵ ＰＰＤＵは、ＨＥ ＭＵ ＰＰＤＵが含むデータＭＰＤＵに対する即刻の応答を要請するトリガーフレームを含む。また、トリガーフレームのＣｏｍｍｏｎ Ｉｎｆｏフィールドのｌｅｎｇｔｈフィールドの値は４１８である。また、トリガーフレームのＣＳ Ｒｅｑｕｉｒｅｄビットは０と設定される。よって、ＡＰはトリガーフレームのＵｓｅｒ ＩｎｆｏフィールドのＴＩＤ Ａｇｇｒｅｇａｔｉｏｎ Ｌｉｍｉｔフィールドの値を０と設定する。トリガーフレームを受信した無線通信端末は、ＨＥ ＭＵ ＰＰＤＵが含むデータＭＰＤＵに対する応答と、即刻の応答を要請しないＭＰＤＵを含むＡ−ＭＰＤＵを共に伝送する。この際、Ａ−ＭＰＤＵを含むトリガー基盤のＰＰＤＵ（ＨＥ ＴＢ ＰＰＤＵ）をトリガリングするトリガーフレームのｌｅｎｇｔｈフィールドの値は４１８より小さいか同じである。よって、第１ステーションは、ＢＡフレームとＡＣＫ ｐｏｌｉｃｙがＮｏ Ａｃｋであるデータを含むＭＰＤＵを含むＡ−ＭＰＤＵを伝送する。第２ステーションは、ＢＡフレームとアクションＮｏ Ａｃｋフレームを含むＡ−ＭＰＤＵを伝送する。第３ステーションと第４ステーションは、ＢＡフレームとＱｏＳ Ｎｕｌｌフレームを含むＡ−ＭＰＤＵを伝送する。
【０１０２】
図７乃至図１２を介して、トリガーフレームを使用し、無線通信端末のＡ−ＭＰＤＵ伝送をトリガリングする動作を説明した。上述したように、ＡＰは、ＭＡＣヘッダを使用して無線通信端末がＡＰにトリガー基盤ＰＰＤＵを伝送することをトリガリングする。詳しくは、ＡＰはＭＡＣヘッダのＨＥ ｖａｒｉａｎｔ ＨＴ ｃｏｎｔｒｏｌフィールドにトリガー情報を挿入し、無線通信端末がＡＰにトリガー基盤ＰＰＤＵを伝送することをトリガリングする。この際、ＭＡＣヘッダが含むトリガー情報をＵＬ ＭＵ応答スケジューリング（ＵＬ ＭＵ ＲＳ）と称する。図１３乃至図１５を介して、ＡＰがＵＬ ＭＵ ＲＳを使用し、無線通信端末がＡ−ＭＰＤＵを含むトリガー基盤ＰＰＤＵを伝送することをトリガリングする動作を説明する。
【０１０３】
図１３は、本発明の実施例による無線通信端末がＵＬ ＭＵ ＲＳに基づいてＡ−ＭＰＤＵを伝送する動作を示す図である。
【０１０４】
ＵＬ ＭＵ ＲＳはＭＡＣヘッダに含まれるため、ＵＬ ＭＵ ＲＳが使用し得るフィールドの大きさは制限される。詳しくは、ＵＬ ＭＵ ＲＳはＨＥ ｖａｒｉａｎｔ ＨＴ ｃｏｎｔｒｏｌフィールドにおいて４ビットのＣｏｎｔｒｏｌ ＩＤフィールドによって識別され、２６ビットを使用してトリガー情報を示す。また、ＵＬ ＭＵ ＲＳは、ＵＬ ＭＵ ＲＳが含まれたＭＡＣフレームが含むペイロードに対するＡＣＫ／ＢＡフレーム伝送をトリガリングする。また、ＵＬ ＭＵ ＲＳは、ＵＬ ＭＵ ＲＳが含まれたＭＡＣフレームを受信者アドレスに当たる無線通信端末の伝送をトリガリングする。このような実施例において、ＵＬ ＭＵ ＲＳはトリガーフレームより少ない情報を含む。よって、ＵＬ ＭＵ ＲＳはＴＩＤの最大個数情報を含まない可能性がある。ＵＬ ＭＵ ＲＳを含むＭＡＣフレームを受信した無線通信端末は、ＵＬ ＭＵ ＲＳが指示するＵＬ ＰＰＤＵ長さ内でトリガー基盤ＰＰＤＵ（Ｔｒｉｇｇｅｒ Ｂａｓｅｄ ＰＰＤＵ、ＴＢ ＰＰＤＵ）を伝送する。よって、ＵＬ ＭＵ ＲＳを含むＭＡＣフレームを受信した無線通信端末は、Ａ−ＭＰＤＵが有し得るＴＩＤの個数とは関係なくＡＰに伝送するＡ−ＭＰＤＵを生成する。
【０１０５】
図１３の実施例において、ＡＰは第１ステーションＳＴＡ１乃至第３ステー本ＳＴＡ３それぞれに対するデータＭＰＤＵと、ブロードキャストトリガーフレームを含むＨＥ ＭＵ ＰＰＤＵを伝送する。この際、第１ステーションＳＴＡ１乃至第３ステーションＳＴＡ３それぞれに対するデータＭＰＤＵのＭＡＣヘッダはＵＬ ＭＵ ＲＳを含む。第１ステーションＳＴＡ１乃至第３ステーションＳＴＡ３それぞれは、ＵＬ ＭＵ ＲＳに基づいてＡＣＫ／ＢＡフレーム、データＭＰＤＵ及びＭＰＤＵを含むＡ−ＭＰＤＵを生成する。第１ステーションＳＴＡ１乃至第３ステーションＳＴＡ３それぞれは、生成したＡ−ＭＰＤＵをＨＥ ＭＵ ＰＰＤＵを使用してＡＰに伝送する。第１ステーションＳＴＡ１は、ＡＣＫ／ＢＡフレーム、複数のＴＩＤそれぞれに当たるＭＰＤＵとＭＭＰＤＵを集合してＡ−ＭＰＤＵを生成する。
【０１０６】
ＵＬ ＭＵ ＲＳを含むＭＡＣフレームを受信した無線通信端末がＡＰにＡＰが受信し得る全体のＴＩＤ個数を超過するＴＩＤを有するＡ−ＭＰＤＵを伝送すれば、ＡＰはＡ−ＭＰＤＵを受信できないか誤動作する。よって、それを防止するための方法が必要である。
【０１０７】
図１４は、本発明のまた他の実施例による無線通信端末がＵＬ ＭＵ ＲＳに基づいてＡ−ＭＰＤＵを伝送する動作を示す図である。
【０１０８】
上述したように、ＵＬ ＭＵ ＲＳを受信した無線通信端末は、ＡＣＫ／ＢＡフレームを含むＡ−ＭＰＤＵを生成する。ＵＬ ＭＵ ＲＳを受信した無線通信端末は、ＵＬ ＭＵ ＲＳが指示する情報を使用し、ＡＰに生成したＡ−ＭＰＤＵを伝送する。この際、ＵＬ ＭＵ ＲＳを受信した無線通信端末がＡＣＫ／ＢＡフレームと集合し得るＭＰＤＵは、一つのＴＩＤに当たるＭＰＤＵ及び一つのＭＭＰＤＵのうち少なくともいずれか一つに制限される。よって、ＵＬ ＭＵ ＲＳを受信した無線通信端末は、ＡＣＫ／ＢＡフレームと、一つのＴＩＤに当たるＭＰＤＵ及び一つのＭＭＰＤＵのうち少なくともいずれか一つを集合してＡ−ＭＰＤＵを生成する。この際、ＡＰが伝送するＭ−ＢＡフレームは、無線通信端末当たり最大２つのＢＡ ｉｎｆｏｒｍａｔｉｏｎフィールドを含む。Ｍ−ＢＡフレームにおいて、ＭＭＰＤＵはＴＩＤが１１１１であると取り扱われるためである。図１４の実施例において、ＡＰは、図１３の実施例のように第１ステーションＳＴＡ１乃至第３ステーションＳＴＡ３にＨＥ ＭＵ ＰＰＤＵを伝送する。この際、第１ステーションＳＴＡ１は、第１ステーションＳＴＡ１に伝送されたＭＡＣフレームが含むＵＬ ＭＵ ＲＳに基づいてＡＰにＡ−ＭＰＤＵを伝送する。図１４（ａ）の実施例において、第１ステーションＳＴＡ１は、ＡＣＫ／ＢＡフレーム、ＴＩＤが３に当たるＭＰＤＵ、及びＭＭＰＤＵを集合してＡ−ＭＰＤＵを生成する。
【０１０９】
他の具体的な実施例において、ＵＬ ＭＵ ＲＳを受信した無線通信端末がＡＣＫ／ＢＡフレームと集合し得るＭＰＤＵは、一つのＴＩＤに当たるＭＰＤＵ及び一つのＭＭＰＤＵのうちいずれか一つに制限される。よって、ＵＬ ＭＵ ＲＳを受信した無線通信端末は、ＡＣＫ／ＢＡフレームと、一つのＴＩＤに当たるＭＰＤＵ及び一つのＭＭＰＤＵのうちいずれか一つを集合してＡ−ＭＰＤＵを生成する。この際、ＡＰが伝送するＭ−ＢＡフレームは、無線通信端末当たり最大一つのＢＡ ｉｎｆｏｒｍａｔｉｏｎフィールドを含む。図１４（ｂ）の実施例において、第１ステーションＳＴＡ１は、ＡＣＫ／ＢＡフレーム、ＴＩＤが３に当たるＭＰＤＵを集合してＡ−ＭＰＤＵを生成する。
【０１１０】
また他の具体的な実施例において、ＵＬ ＭＵ ＲＳを受信した無線通信端末がＡＣＫ／ＢＡフレームと集合し得るＭＰＤＵは、ＭＭＰＤＵと優先度の高いＴＩＤに当たるＭＰＤＵのうち少なくともいずれか一つに制限される。ＵＬ ＭＵ ＲＳを受信した無線通信端末は、ＡＣＫ／ＢＡフレームと、ＭＭＰＤＵ、及び優先度（ｐｒｉｏｒｉｔｙ）の高いＴＩＤを有するＭＰＤＵのうちいずれか一つを集合してＡ−ＭＰＤＵを生成する。この際、選好度の高いＴＩＤは、一定優先度より高い優先度を有するＴＩＤを示す。詳しくは、一定優先度はＡＰによって指定される。具体的な実施例において、ＡＰは、リンク設定手続で一定優先度を指定する。例えば、ＡＰは、ビーコンフレーム、結合応答フレーム、及び認証応答フレームのうち少なくともいずれか一つを使用して一定優先度を指定する。図１４（ｃ）の実施例において、第１ステーションＳＴＡ１は、ＡＣＫ／ＢＡフレーム、一定優先度より高い優先度を有するＴＩＤが１に当たるＭＰＤＵ、及びＭＭＰＤＵを集合してＡ−ＭＰＤＵを生成する。
【０１１１】
更に他の具体的な実施例において、ＵＬ ＭＵ ＲＳを受信した無線通信端末がＡＣＫ／ＢＡフレームと集合し得るＭＰＤＵは、ＭＭＰＤＵに制限される。よって、ＵＬ ＭＵ ＲＳを受信した無線通信端末は、ＡＣＫ／ＢＡフレームとＭＭＰＤＵを集合してＡ−ＭＰＤＵを生成する。図１４（ｄ）の実施例において、第１ステーションＳＴＡ１は、ＡＣＫ／ＢＡフレーとＭＭＰＤＵを集合してＡ−ＭＰＤＵを生成する。
【０１１２】
また、ＵＬ ＭＵ ＲＳを受信した無線通信端末は、上述した実施例においてＡＣＫ／ＢＡフレームとＢＡ合意のないＴＩＤに当たるＭＰＤＵを制限なく集合する。
【０１１３】
更に他の具体的な実施例において、ＵＬ ＭＵ ＲＳを受信した無線通信端末がＡＣＫ／ＢＡフレームと集合し得るＭＰＤＵは、即刻の応答を要請しないＭＰＤＵに制限される。よって、ＵＬ ＭＵ ＲＳを受信した無線通信端末は、ＡＣＫ／ＢＡフレームと即刻応答を要請しないＭＰＤＵを集合してＡ−ＭＰＤＵを生成する。図１４（ｅ）の実施例において、第１ステーションＳＴＡ１は、ＡＣＫ／ＢＡフレーと即刻の応答を要請しないＭＰＤＵを集合してＡ−ＭＰＤＵを生成する。無線通信端末はこのような実施例を介し、伝送シーケンスが増えることを防止する。
【０１１４】
更に他の具体的な実施例において、ＵＬ ＭＵ ＲＳを受信した無線通信端末は、他のＭＰＤＵとＡＣＫ／ＢＡフレームと集合せず、ＡＣＫ／ＢＡフレームを含むＡ−ＭＰＤＵを伝送する。無線通信端末はこれを介し、ＡＣＫ／ＢＡフレーム伝送の信頼度（ｒｅｌｉａｂｉｌｉｔｙ）を極大化する。
【０１１５】
図１５は、本発明のまた他の実施例による無線通信端末がＵＬ ＭＵ ＲＳに基づいてＡ−ＭＰＤＵを伝送する動作を示す図である。
【０１１６】
ＡＰは、ＵＬ ＭＵ ＲＳを伝送しながらＵＬ ＭＵ ＲＳに基づいて伝送されるＡＣＫ／ＢＡフレームとは異なるＭＰＤＵの集合が制限されることをシグナリングする。詳しくは、ＡＰは、ＵＬ ＭＵ ＲＳの集合許容可否を示すビットを０に設定し、ＵＬ ＭＵ ＲＳに基づいて伝送されるＡＣＫ／ＢＡフレームとは異なるＭＰＤＵの集合が制限されることをシグナリングする。ＵＬ ＭＵ ＲＳがＵＬ ＭＵ ＲＳに基づいて伝送されるＡＣＫ／ＢＡフレームとは異なるＭＰＤＵの集合が制限されることを示せば、ＵＬ ＭＵ ＲＳを受信した無線通信端末は、図１４を介して説明した多用な実施例によってＡＣＫ／ＢＡフレームを含むＡ−ＭＰＤＵを生成する。詳しくは、ＵＬ ＭＵ ＲＳがＡＣＫ／ＢＡフレームとは異なるＭＰＤＵの集合が制限されることを示せば、ＵＬ ＭＵ ＲＳを受信した無線通信端末は、ＡＰに他のＭＰＤＵとの集合なしにＡＣＫ／ＢＡフレームを含むＡ−ＭＰＤＵを伝送する。他の具体的な実施例において、ＵＬ ＭＵ ＲＳがＡＣＫ／ＢＡフレームとは異なるＭＰＤＵの集合が制限されることを示せば、ＵＬ ＭＵ ＲＳを受信した無線通信端末は、ＡＰにＡＣＫ／ＢＡフレームと即刻の応答を要請しないＭＰＤＵを含むＡ−ＭＰＤＵを伝送する。
【０１１７】
図１５の実施例において、ＡＰはＵＬ ＭＵ ＲＳが含むＡｇｇｒｅｇａｔｉｏｎ ａｌｌｏｗｅｄフィールドの値を設定し、ＵＬ ＭＵ ＲＳに基づいて伝送されるＡＣＫ／ＢＡフレームとは異なるＭＰＤＵの集合が制限されることを示す。この際、Ａｇｇｒｅｇａｔｉｏｎ ａｌｌｏｗｅｄフィールドの値が０であれば、第１ステーションＳＴＡ１は、ＡＰにＡＣＫ／ＢＡフレームとパッディングを含むＡ−ＭＰＤＵを伝送する。また、Ａｇｇｒｅｇａｔｉｏｎ ａｌｌｏｗｅｄフィールドの値が１であれば、第１ステーションＳＴＡ１は、ＡＰにＡＣＫ／ＢＡフレーム、ＴＩＤが１のＭＰＤＵ、及びＭＭＰＤＵ含むＡ−ＭＰＤＵを伝送する。このような実施例を介し、ＵＬ ＭＵ ＲＳに基づいて伝送されるＡ−ＭＰＤＵの形が多様になる。
【０１１８】
複数の無線通信端末それぞれが伝送したＭＵ ＰＰＤＵ間の受信信号強度（Ｒｅｃｅｉｖｅｄ Ｓｉｇｎａｌ Ｓｔｒｅｎｇｔｈ Ｉｎｄｉｃａｔｉｏｎ、ＲＳＳＩ）差が大きければ、ＡＰが複数の無線通信端末からＭＵ ＰＰＤＵを正常に受信することが難しい可能性がある。よって、ＡＰはトリガー情報を使用し、無線通信端末それぞれが伝送するＭＵ ＰＰＤＵの伝送電力（ｐｏｗｅｒ）を調整する。図１６乃至図２３を介し、これについて説明する。
【０１１９】
図１６は、本発明の実施例によるＡＰがトリガーフレームを使用して複数の無線通信端末にトリガーフレームの伝送電力をシグナリングし、複数の無線通信端末がトリガーフレームの伝送電力に基づいてＭＵ ＰＰＤＵの伝送電力を調整することを示す図である。
【０１２０】
無線通信端末の位置に応じて、ＡＰとの伝送途中発生する経路損失（ｐａｔｈ ｌｏｓｓ）の大きさが異なり得る。この際、経路損失は、無線信号が特定経路に沿って伝送されながら信号の強度が減衰されることを示す。図１６において、第２ステーションＳＴＡ２は第１ステーションＳＴＡ１よりＡＰから遠いところに位置し、第２ステーションＳＴＡ２とＡＰ間の伝送途中発生する経路損失ＰＬ２が第１ステーションＳＴＡ１とＡＰ間の伝送途中発生する経路損失ＰＬ１より大きい。よって、ＡＰが受信するＭＵ ＰＰＤＵの受信信号強度をＡＰが指定する受信信号強度に調整するために、無線通信端末は、無線通信端末からＡＰまでの伝送経路から発生する経路損失を推定すべきである。そのため、ＡＰは、トリガー情報にトリガー情報を含むＰＰＤＵを伝送する伝送電力に関する情報を挿入する。詳しくは、ＡＰは、トリガーフレーム及びＵＬ ＭＵ ＲＳのうち少なくともいずれか一つに伝送電力を挿入する。この際、ＡＰが指定する受信信号強度をターゲットＲＳＳＩと称する。また、トリガー情報を含むＰＰＤＵを伝送する伝送電力をＤＬ ＴＸパワーと称する。例えば、ＡＰは図１６のように、トリガーフレームのＣｏｍｍｏｎ ＩｎｆｏフィールドにＤＬ ＴＸパワーに関する情報を挿入する。また、ＡＰは図１６のように、トリガーフレームのＰｅｒ Ｕｓｅｒ ＩｎｆｏフィールドのＴｒｉｇｇｅｒ Ｄｅｐｅｎｄｅｎｔ ＩｎｆｏフィールドにターゲットＲＳＳＩに関する情報を挿入する。また、ＡＰは図１６のように、ＨＥ ｖａｒｉａｎｔ ＨＴ ｃｏｎｔｒｏｌフィールドにＤＬ ＴＸパワーに関する情報を挿入する。また、ＡＰは図１６のように、ＨＥ ｖａｒｉａｎｔ ＨＴ ｃｏｎｔｒｏｌフィールドにターゲットＲＳＳＩに関する情報を挿入する。
【０１２１】
無線通信端末は、ＡＰから受信したトリガー情報に基づいてＤＬ ＴＸパワーに関する情報を獲得する。無線通信端末は、ＤＬ ＴＸパワーとトリガー情報を含むＰＰＤＵの受信信号強度に基づき、無線通信端末とＡＰ間の伝送経路から発生する経路損失を推定する。詳しくは、無線通信端末は図１６のように、トリガー情報に基づいてＤＬ ＴＸパワーからトリガー情報を含むＰＰＤＵの受信信号強度を引いて、無線通信端末とＡＰ間の伝送経路から発生する経路損失を推定する。詳しくは、ＤＬ ＴＸパワーはトリガー情報において２０ＭＨｚ単位で表示される。
【０１２２】
無線通信端末は、ＰＰＤＵの受信信号強度をフィジカルレイヤーで測定し、トリガー情報が含むＤＬ ＴＸパワーに関する情報とターゲットＲＳＳＩに関する情報はＭＡＣレイヤーから獲得する。この際、無線通信端末は受信信号強度を予め測定し、ＭＡＣレイヤーから獲得したＤＬ ＴＸパワーに関する情報とターゲットＳＲＲＩに関する情報に基づいてトリガー基盤ＰＰＤＵの伝送電力を決定する。詳しくは、無線通信端末は図１６のように、受信信号強度とＤＬ ＴＸパワーに基づいてＡＰと無線通信端末間の伝送経路から発生する経路損失をターゲットＲＳＳＩに足し、トリガー基盤ＰＰＤＵの伝送電力（Ｔａｒｇｅｔ ＵＬ ＴＸ ｐｏｗｅｒ）を決定する。無線通信端末は、決定された伝送電力でトリガー基盤ＰＰＤＵを伝送する。
【０１２３】
同じＰＰＤＵであっても、周波数及び時間に応じて割り当てられている電力の大きさが異なり得る。よって、無線通信端末がトリガー情報を含むＰＰＤＵの受信信号強度を測定する方法によって、ＡＰと無線通信端末間の伝送から発生する経路損失の推定が不正確になる恐れがある。特に、トリガー情報を含むＰＰＤＵが８０ＭＨｚ以上の帯域幅を介して伝送され、８０ＭＨｚ帯域幅の中央にセンター（ｃｅｎｔｅｒ）２６ＲＵ（Ｒｅｓｏｕｒｃｅ Ｕｎｉｔ）が存在すれば、センター２６ＲＵは連続した２つの２０ＭＨｚ周波数帯域の中央に位置する。詳しくは、センター２６ＲＵはインデックスが−１６から−４まで、４から１６までに当たるサブキャリアを含み、周波数帯域の中央に位置する７つのＤＣ（Ｄｉｒｅｃｔ Ｃｕｒｒｅｎｔ）サブキャリアを含むＲＵを示す。よって、センター２６ＲＵを介してＰＰＤＵのペイロードを受信する無線通信端末がどの周波数帯域の受信信号強度を測定すべきであるのかが問題になる。無線通信端末がＭＵ ＰＰＤＵの受信信号強度を測定する方法について、図１７乃至図２３を介して説明する。この際、ＭＵ ＰＰＤＵは叙述したようにトリガー情報を含む。
【０１２４】
図１７は、本発明の実施例による無線通信端末がＭＵ ＰＰＤＵの受信信号強度を測定する方法を示す図である。
【０１２５】
無線通信端末は、２０ＭＨｚ帯域幅を有する主（ｐｒｉｍａｒｙ）チャネルから伝送される、ＰＰＤＵのレガシープリアンブルの受信信号強度をＰＰＤＵの受信信号強度として測定する。この際、レガシープリアンブルは、本発明の一実施例による無線通信端末だけでなく、レガシー無線通信端末もデコードし得るプリアンブルを示す。詳しくは、無線通信端末は、２０ＭＨｚ帯域幅を有する主チャネルから伝送される、ＰＰＤＵのレガシートレーニングフィールドの受信信号強度をＰＰＤＵの受信信号強度として測定する。具体的な実施例において、無線通信端末は、２０ＭＨｚ帯域幅を有する主チャネルから伝送される、レガシーロングトレーニングフィールド（Ｌｅｇａｃｙ−Ｌｏｎｇ Ｔｒａｎｉｎｇ Ｆｉｅｌｄ、Ｌ−ＬＴＦ）の受信信号強度をＰＰＤＵの受信信号強度として測定する。他の具体的な実施例において、無線通信端末は、２０ＭＨｚ帯域幅を有する主チャネルから伝送される、Ｌ−ＬＴＦ及びレガシーショートトレーニングフィールド（Ｌｅｇａｃｙ−Ｓｈｏｒｔ Ｔｒａｎｉｎｇ Ｆｉｅｌｄ、Ｌ−ＳＴＦ）の受信信号強度の平均値をＰＰＤＵの受信信号強度として測定する。この際、Ｌ−ＬＴＦは、信号の長さが比較的長いトレーニング信号であるロングトレーニング信号を示す。詳しくは、無線通信端末は、ＬＴＦに基づいてＬ−ＳＩＧフィールドを含むＯＦＤＭシンボルの周波数オフセット（ｏｆｆｓｅｔ）とチャネルを推定する。また、Ｌ−ＳＴＦは、長さが比較的短いトレーニング信号であるショートトレーニング信号を示す。詳しくは、無線通信端末は、Ｌ−ＳＴＦに基づいてＬ−ＬＴＦフィールド及びＬ−ＳＩＧフィールドを含むＯＦＤＭシンボルに対し、ＡＧＣ（Ａｕｔｏｍａｔｉｃ Ｇａｉｎ Ｃｏｎｔｒｏｌ）を行う。また、無線通信端末は、Ｌ−ＳＴＦに基づいてＬ−ＳＩＧフィールドを含むＯＦＤＭシンボルとタイミング及び周波数を同期化する。無線通信端末は、上述した実施例を介して測定したＰＰＤＵの受信信号強度に基づいて伝送電力を調節する。
【０１２６】
図１７の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、複数の無線通信端末は、２０ＭＨｚ帯域幅を有する主チャネルを介して伝送されるＬ−ＳＴＦとＬ−ＬＴＦの受信信号強度を測定する。複数の無線通信端末は、測定した受信信号強度とＤＬ ＴＸパワーに基づき、ＡＰから複数の無線通信端末それぞれまでの伝送から発生する経路損失を推定する。この際、複数の無線通信端末は、トリガーフレームまたはＵＬ ＭＵ ＲＳからＤＬ ＴＸパワーを獲得する。複数の無線通信端末は、推定した経路損失とターゲットＲＳＳＩに基づいてトリガー基盤ＰＰＤＵの伝送電力を決定する。複数の無線通信端末は、ＡＰにトリガーフレームまたはＵＬ ＭＵ ＲＳが示す情報に応じてトリガー基盤ＰＰＤＵを伝送する。
【０１２７】
無線通信端末は、無線通信端末が受信するペイロードが伝送されるＲＵの位置とは関係なく、２０ＭＨｚ帯域幅を有する主チャネルを感知する。また、レガシープリアンブルであれば、ＰＰＤＵが伝送される周波数帯域幅において同じパワーで伝送される。よって、無線通信端末が２０ＭＨｚ帯域を介して伝送されるレガシープリアンブルに基づいてＰＰＤＵの受信信号強度を測定すれば、無線通信端末はＰＰＤＵの受信信号強度を効率的に測定することができる。また、センター２６ＲＵを介してＰＰＤＵのペイロードを受信する無線通信端末も、ＰＰＤＵの受信信号強度を精密に測定することができる。また、無線通信端末は、ｎｏｎ−ＨＴ ＰＰＤＵの形で伝送されるトリガーフレームを受信する際も、同じ方法でＰＰＤＵの受信信号強度を測定する。
【０１２８】
図１８は、本発明の更に他の実施例による無線通信端末がＭＵ ＰＰＤＵの受信信号強度を測定する方法を示す図である。
【０１２９】
無線通信端末は、ＰＰＤＵが伝送される全体周波数帯域でＰＰＤＵの受信信号強度を測定する。この際、無線通信端末は、ＰＰＤＵが伝送される全体周波数帯域で測定した受信信号強度を２０ＭＨｚ単位に平均化する。詳しくは、無線通信端末は、ＰＰＤＵが伝送される全体周波数帯域においてレガシープリアンブルの受信信号強度をＰＰＤＵの受信信号強度として測定する。詳しくは、無線通信端末は、ＰＰＤＵが伝送される全体周波数帯域においてレガシープリアンブルの受信信号強度を２０ＭＨｚ帯域幅単位に平均した値に基づいてＰＰＤＵの受信信号強度を測定する。但し、２５６ＦＦＴを使用して伝送されるＰＰＤＵのペイロードとは異なって、レガシープリアンブルは６４ＦＦＴを使用して伝送される。よって、無線通信端末がレガシープリアンブルに基づいてＰＰＤＵの受信信号強度を測定すれば、それによる誤差が発生する恐れがある。
【０１３０】
無線通信端末は、ノンレガシートレーニングフィールドに基づいてＰＰＤＵの受信信号強度を測定する。無線通信端末は、ＰＰＤＵが伝送される全体周波数帯域においてノンレガシートレーニングフィールドの受信信号強度をＰＰＤＵの受信信号強度として測定する。詳しくは、無線通信端末は、ＰＰＤＵが伝送される全体周波数帯域においてノンレガシートレーニングフィールドの受信信号強度を２０ＭＨｚ帯域幅単位に平均した値に基づいてＰＰＤＵの受信信号強度を測定する。具体的な実施例において、無線通信端末は、トリガー情報から獲得したＤＬ ＴＸパワーにおいてＰＰＤＵが伝送される全体周波数帯域幅からノンレガシートレーニングフィールドの受信信号強度を２０ＭＨｚ帯域幅単位に平均した値を引いて、無線通信端末とＡＰ間の伝送経路から発生する経路損失を推定する。このような実施例において、無線通信端末は、ＭＵ ＰＰＤＵのシグナリングするＰＰＤＵの帯域幅に関する情報を獲得し、ＰＰＤＵが伝送される全体周波数帯域においてノンレガシートレーニングフィールドの受信信号強度を測定する。また、ノンレガシートレーニングフィールドは、ノンレガシーロングトレーニングフィールドであってもよい。無線通信端末は、ノンレガシーロングトレーニングフィールドに基づき、ノンレガシーシグナリングフィールド及びペイロードを含むＯＦＤＭシンボルの周波数オフセット及びチャネルを推定する。詳しくは、無線通信端末は、ノンレガシーロングトレーニングフィールドを基準にデータが伝送されるチャネルを推定する。また、無線通信端末は、ノンレガシーロングトレーニングフィールドを基準にＯＦＤＭシンボルの周波数オフセットを推定する。また、無線通信端末は、ショートトレーニング信号に基づいてノンレガシーロングトレーニングフィールド、ノンレガシーシグナリングフィールド、及びペイロードを含むＯＦＤＭシンボルに対してＡＧＣを行う。また、無線通信端末は、ノンレガシーショートトレーニングフィールドに基づいてノンレガシーロングトレーニングフィールド、ノンレガシーシグナリングフィールド、及びペイロードを含むＯＦＤＭシンボルのタイミング及び周波数に対する同期化を行う。
【０１３１】
図１８の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、複数の無線通信端末は、ノンレガシーショートトレーニングフィールドであるＨＥ−ＬＴＦをクロスコリレーション（ｃｏｒｒｅｌａｔｉｏｎ）し、ＨＥ−ＬＴＦの受信信号強度を測定する。複数の無線通信端末は、測定した受信信号強度とＤＬ ＴＸパワーに基づき、ＡＰから複数の無線通信端末それぞれまでの伝送から発生する経路損失を推定する。複数の無線通信端末の他の動作は、図１７の実施例で説明したものと同じである。
【０１３２】
但し、ＡＰがＯＦＤＭＡを利用してＨＥ ＭＵ ＰＰＤＵを伝送する際、ＡＰは各ＲＵ別に伝送電力を異なるように設定してもよい。詳しくは、ＡＰがＯＦＤＭＡを利用してＨＥ ＭＵ ＰＰＤＵを伝送する際、ＡＰはノンレガシーショートトレーニングフィールドであるＨＥ−ＳＴＦから各ＲＵ別に伝送電力を異なるように設定する。特に、２５６ＦＦＴが使用されれば、各ＲＵ別周波数選択性（ｆｒｅｑｕｅｎｃｙ ｓｅｌｅｃｔｉｖｉｔｙ）の影響が更に大きくなる。このようなＲＵ別伝送電力の差を考慮した受信信号強度の測定方法については、図１９を介して説明する。
【０１３３】
図１９は、本発明のまた他の実施例による無線通信端末がＭＵ ＰＰＤＵの受信信号強度を測定する方法を示す図である。
【０１３４】
無線通信端末は、無線通信端末に当たる、ＰＰＤＵのペイロードが伝送されるＲＵにおいてノンレガシートレーニングフィールドの受信信号強度をＰＰＤＵの受信信号強度として測定する。この際、ノンレガシートレーニングフィールドは、ノンレガシーロングトレーニングフィールドであるＨＥ−ＬＴＦである。また、ＰＰＤＵのペイロードが伝送されるＲＵは、無線通信端末をトリガリングするトリガーフレームまたはＵＬ ＭＵ ＲＳが伝送されるＲＵを示す。詳しくは、ＰＰＤＵのペイロードが伝送されるＲＵの帯域幅が２０ＭＨｚより小さければ、無線通信端末は測定した受信信号強度を２０ＭＨｚ単位にスケーリングする。
【０１３５】
図１９の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、複数の無線通信端末は、複数の無線通信端末それぞれに対するペイロードが伝送されるＲＵにおいてＨＥ−ＬＴＦをクロスコリレーションし、ＨＥ−ＬＴＦの受信信号強度を測定する。複数の無線通信端末は、測定した受信信号強度とＤＬ ＴＸパワーに基づき、ＡＰから複数の無線通信端末それぞれまでの伝送から発生する経路損失を推定する。この際、ＲＵの帯域幅が２０ＭＨｚより小さければ、測定した受信信号強度の値を２０ＭＨｚ単位にスケーリングする。複数の無線通信端末の他の動作は、図１７の実施例で説明したものと同じである。
【０１３６】
このような実施例において、無線通信端末に当たるＰＰＤＵのペイロードが伝送されるＲＵの周波数帯域が狭すぎれば、無線通信端末が受信信号強度を測定するために使用し得るサンプルシンボルの数が過度に少なくなる恐れがある。よって、無線通信端末が測定した受信信号強度の正確性が落ちる恐れがある。
【０１３７】
図２０は、本発明の更に他の実施例による無線通信端末がＭＵ ＰＰＤＵの受信信号強度を測定する方法を示す図である。
【０１３８】
無線通信端末は、無線通信端末に当たる、ＰＰＤＵのペイロードが伝送されるＲＵを含む２０ＭＨｚ帯域幅を有する周波数帯域において、ノンレガシートレーニングフィールドの受信信号強度をＰＰＤＵの受信信号強度として測定する。この際、ノンレガシートレーニングフィールドは、ノンレガシーロングトレーニングフィールドであるＨＥ−ＬＴＦである。また、ＰＰＤＵのペイロードが伝送されるＲＵは、無線通信端末をトリガリングするトリガーフレームまたはＵＬ ＭＵ ＲＳが伝送されるＲＵを示す。
【０１３９】
図２０の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、複数の無線通信端末は、複数の無線通信端末それぞれに対するペイロードが伝送されるＲＵを含む２０ＭＨｚ帯域幅を有する周波数帯域において、ＨＥ−ＬＴＦをクロスコリレーションしてＨＥ−ＬＴＦの受信信号強度を測定する。複数の無線通信端末は、測定した受信信号強度とＤＬ ＴＸパワーに基づき、ＡＰから複数の無線通信端末それぞれまでの伝送から発生する経路損失を推定する。この際、ＲＵの帯域幅が２０ＭＨｚより小さければ、測定した受信信号強度の値を２０ＭＨｚ単位にスケーリングする。複数の無線通信端末の他の動作は、図１７の実施例で説明したものと同じである。
【０１４０】
このような実施例において、センター２６ＲＵを介してＰＰＤＵのペイロードを受信する無線通信端末がどの周波数帯域でノンレガシーシグナリングフィールドの受信信号強度を測定すべきであるのかが問題になる。
【０１４１】
図２１は、本発明の更に他の実施例による無線通信端末がＭＵ ＰＰＤＵの受信信号強度を測定する方法を示す図である。
【０１４２】
上述した実施例において、無線通信端末がセンター２６ＲＵを介してＰＰＤＵのペイロードを受信すれば、無線通信端末はセンター２６ＲＵに関する情報をシグナリングするＳＩＧ−Ｂコンテンツチャネルが伝送される周波数帯域において、ノンレガシーシグナリングフィールドの受信信号強度を測定する。詳しくは、ＨＥ−ＳＩＧ−Ｂシグナリングフィールドは、ＨＥ ＭＵ ＰＰＤＵを受信する複数の無線通信端末に関する情報をシグナリングする。詳しくは、複数の無線通信端末に関する情報は、資源割当に関する情報を含む。この際、資源割当に関する情報は、複数の無線通信端末がＨＥ ＭＵ ＰＰＤＵのペイロードを受信するＲＵに関する情報を含む。ＡＰは、２０ＭＨｚ周波数帯域別に互いに異なる情報を含むＨＥ−ＳＩＧ−Ｂフィールドを伝送する。詳しくは、ＡＰが４０ＭＨｚ以上の帯域幅を有する周波数帯域を介してＨＥ ＭＵ ＰＰＤＵを伝送すれば、ＡＰは、２０ＭＨｚ帯域幅を有する第１ＳＩＧ−Ｂコンテンツチャネルと２０ＭＨｚ帯域幅を有する第２ＳＩＧ−Ｂコンテンツチャネルを４０ＭＨｚ帯域幅ごとに繰り返し伝送する。この際、ＡＰは、８０ＭＨｚ帯域幅を有する主チャネルのセンター２６ＲＵに関する情報を第１ＳＩＧ−Ｂコンテンツチャネルを介して伝送する。また、ＡＰは、８０ＭＨｚ帯域幅を有する副チャネルのセンター２６ＲＵに関する情報を第２ＳＩＧ−Ｂコンテンツチャネルを介して伝送する。よって、無線通信端末が８０ＭＨｚ帯域幅を有する主チャネルに含まれたセンター２６ＲＵを介してＰＰＤＵのペイロードを受信すれば、無線通信端末は第１ＳＩＧ−Ｂコンテンツチャネルが伝送される周波数帯域において、ノンレガシーシグナリングフィールドの受信信号強度を測定する。また、無線通信端末が８０ＭＨｚ帯域幅を有する副チャネルに含まれたセンター２６ＲＵを介してＰＰＤＵのペイロードを受信すれば、無線通信端末は第２ＳＩＧ−Ｂコンテンツチャネルが伝送される周波数帯域において、ノンレガシーシグナリングフィールドの受信信号強度を測定する。また、ノンレガシートレーニングフィールドは、ノンレガシーロングトレーニングフィールドであるＨＥ−ＬＴＦである。
【０１４３】
図２１の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、センター２６ＲＵを介してペイロードを受信する無線通信端末は、第１ＳＩＧ−Ｂコンテンツチャネルが伝送される２０ＭＨｚ帯域幅を有する周波数帯域から、ＨＥ−ＬＴＦをクロスコリレーションしてＨＥ−ＬＴＦの受信信号強度を測定する。無線通信端末は、測定した受信信号強度とＤＬ ＴＸパワーに基づき、ＡＰから無線通信端末までの伝送から発生する経路損失を推定する。また、無線通信端末は、トリガーフレームまたはＵＬ ＭＵ ＲＳからＤＬ ＴＸパワーを獲得する。複数の無線通信端末は、推定した経路損失とターゲットＲＳＳＩに基づいてトリガー基盤ＰＰＤＵの伝送電力を決定する。複数の無線通信端末は、ＰＡにトリガーフレームまたはＵＬ ＭＵ ＲＳが示す情報に応じてトリガー基盤ＰＰＤＵを伝送する。
【０１４４】
無線通信端末は、センター２６ＲＵに関する情報をシグナリングするＳＩＧ−Ｂコンテンツチャネルが伝送される周波数帯域においてノンレガシーシングナリングフィールドの受信信号強度を測定すれば、無線通信端末はＨＥ−ＳＩＧ−Ｂフィールドを獲得し、同じ周波数帯域から受信信号強度を測定する。但し、無線通信端末が受信信号強度を測定した周波数帯域において、無線通信端末が受信するペイロードが伝送されない短所がある。
【０１４５】
図２２は、本発明の更に他の実施例による無線通信端末がＭＵ ＰＰＤＵの受信信号強度を測定する方法を示す図である。
【０１４６】
上述した実施例において、無線通信端末がセンター２６ＲＵを介してＰＰＤＵのペイロードを受信すれば、無線通信端末はセンター２６ＲＵを含む２０ＭＨｚ帯域幅を有する２つの周波数帯域幅のうち、センター２６ＲＵに関する情報をシグナリングするＳＩＧ−Ｂコンテンツチャネルと近い周波数帯域において、ノンレガシーシグナリングフィールドの受信信号強度を測定する。他の具体的な実施例において、無線通信端末は、センター２６ＲＵを含む２０ＭＨｚ帯域幅を有する２つの周波数帯域において、ノンレガシーシグナリングフィールドの受信信号強度を測定する。この際、無線通信端末は、測定された受信信号強度を２０ＭＨｚ単位に平均化する。また、ノンレガシートレーニングフィールドは、ノンレガシーロングトレーニングフィールドであるＨＥ−ＬＴＦである。
【０１４７】
図２２の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、センター２６ＲＵを介してペイロードを受信する無線通信端末は、センター２６ＲＵを含む２０ＭＨｚ帯域幅を有する２つの周波数帯域のうち、第１ＳＩＧ−Ｂコンテンツチャネルと近い周波数帯域幅において、ＨＥ−ＬＴＦをクロスコリレーションしてＨＥ−ＬＴＦの受信信号強度を測定する。他の具体的な実施例において、この際、センター２６ＲＵを介してペイロードを受信する無線通信端末は、センター２６ＲＵを含む２０ＭＨｚ帯域幅を有する２つの周波数帯域において、ＨＥ−ＬＴＦをクロスコリレーションしてＨＥ−ＬＴＦの受信信号強度を測定し、２０ＭＨｚ単位に受信信号強度を平均化する。無線通信端末の他の動作は、図２１の実施例で説明したものと同じである。
【０１４８】
図２３は、本発明の更に他の実施例による無線通信端末がＭＵ ＰＰＤＵの受信信号強度を測定する方法を示す図である。
【０１４９】
ＡＰがセンター２６ＲＵを介してトリガー情報を伝送することが制限されることがある。詳しくは、ＡＰは、センター２６ＲＵを介してトリガー情報を伝送しなくてもよい。詳しくは、ＡＰは、センター２６ＲＵを介してトリガーフレームを伝送しなくてもよい。また、ＡＰは、センター２６ＲＵを介してＵＬ ＭＵ ＲＳを伝送しなくてもよい。センター２６ＲＵは、周波数帯域の帯域幅が８０ＭＨｚ以上である際にのみ使用されるが、全体の周波数帯域においてセンター２６ＲＵが占める大きさは大きくないためである。
【０１５０】
図２３の実施例において、ＡＰは、センター２６ＲＵを含む８０ＭＨｚ帯域幅を有するＨＥ ＭＵ ＰＰＤＵを複数の無線通信端末に伝送する。ＨＥ ＭＵ ＰＰＤＵは、Ｌ−ＳＴＦ、Ｌ−ＬＴＦ、Ｌ−ＳＩＧ、ＲＬ−ＳＩＧ、ＨＥ−ＳＩＧ−Ａ、ＨＥ−ＳＩＧ−Ｂ、ＨＥ−ＳＴＦ、ＨＥ−ＬＴＦ、ペイロード（Ｄａｔａ）、及びパケットエクステンション（ＰＥ）を含む。この際、ＡＰはセンター２６ＲＵを介してトリガー情報を含まないＰＰＤＵのペイロードを伝送する。このような実施例を介し、ＡＰは、センター２６ＲＵを介してＰＰＤＵのペイロードを受信する無線通信端末がノンレガシーシグナリングフィールドの受信信号強度を測定する際に発生し得る問題を防止する。
【０１５１】
図２４は、本発明の実施例による無線通信端末の動作を示す図である。
【０１５２】
ベース無線通信端末２４０１は、一つまたは複数の無線通信端末２４０３にトリガー情報を伝送する（Ｓ２４０１）。この際、トリガー情報は、上述したトリガーフレームまたはＵＬ ＭＵ ＲＵである。
【０１５３】
トリガー情報はトリガーフレームであり、トリガーフレームはＡ−ＭＰＤＵに含まれるＭＰＤＵの種類に関する第１シグナリングフィールドを含む。この際、無線通信端末２４０３が即刻の応答を要請するＭＰＤＵを集合しベース無線通信端末２４０１に伝送するＡ−ＭＰＤＵを生成することが許容されなければ、ベース無線通信端末２４０１は、第１シグナリングフィールドの値を予め指定された値に設定する。また、ベース無線通信端末２４０１は第１シグナリングフィールドに当たる無線通信端末が即刻の応答を要請するＭＰＤＵを集合しベース無線通信端末２４０１に伝送するＡ−ＭＰＤＵを生成することが許容されれば、ベース無線通信端末２４０１は、第１シグナリングフィールドの値を前記Ａ−ＭＰＤＵが有し得る最大ＴＩＤの個数に応じて設定する。Ａ−ＭＰＤＵが有し得るＴＩＤの最大個数は、Ａ−ＭＰＤＵが有し得る即刻の応答を要請するＴＩＤの最大個数を示す。即刻の応答を要請するＴＩＤの最大個数は、即刻の応答を要請するＴＩＤの個数と即刻の応答を要請するＴＩＤのないフレームの個数の和の最大値を示す。他の具体的な実施例において、Ａ−ＭＰＤＵが有し得るＴＩＤの最大個数は、ＢＡ合意のあるＴＩＤの最大個数を示す。
【０１５４】
この際、即刻の応答は同じＴＸＯＰ内において、受信者が予め指定された期間内に伝送者に応答を伝送することを示す。詳しくは、予め指定された期間はＳＩＦＳである。即刻の応答を要請しないＴＩＤに当たるＭＰＤＵは、ＡＣＫ ｐｏｌｉｃｙがＮｏ Ａｃｋに設定されているＴＩＤに当たるＭＰＤＵである。また、即刻の応答を要請しないＴＩＤに当たるＭＰＤＵは、ＱｏＳ Ｎｕｌｌフレームである。この際、ＱｏＳ ＮｕｌｌフレームのＡＣＫ ＰｏｌｉｃｙはＮｏ Ａｃｋである。また、即刻の応答を要請しないＴＩＤのないフレームは、アクションＮｏ Ａｃｋフレームである。
【０１５５】
トリガーフレームは、無線通信端末２４０３がトリガー基盤ＰＰＤＵを伝送する際にチャネルセンシングが必要であるのかを示す第２シグナリングフィールドを含む。ベース無線通信端末２４０１は、第２シグナリングフィールドの値に基づいて第１シグナリングフィールドの値を設定する。詳しくは、第２シグナリングフィールドがトリガー基盤ＰＰＤＵを伝送するためのチャネルセンシングが必要ではないことを示すように設定されていれば、ベース無線通信端末２４０１は第１シグナリングフィールドの値を予め指定された値に設定する。トリガーフレームは、トリガー基盤ＰＰＤＵの長さに関する情報を示す第３シグナリングフィールドを含む。この際、ベース無線通信端末は、第３シグナリングフィールドの値に基づいて第１シグナリングフィールドの値を設定する。詳しくは、第３シグナリングフィールドの値が予め設定された値以下であれば、ベース無線通信端末２４０１は第１シグナリングフィールドの値を予め指定された値に設定する。予め設定された値は、即刻の応答を要請するＭＰＤＵを集合してベース無線通信端末２４０１に伝送するＡ−ＭＰＤＵを生成できないことを示す値である。
【０１５６】
第１シグナリングフィールドは、上述したＴＩＤ Ａｇｇｒｅｇａｔｉｏｎ Ｌｉｍｉｔフィールドである。また、第２シグナリングフィールドは、上述したＣＳ ｒｅｑｕｉｒｅｄフィールドである。また、ベース無線通信端末２４０１は、図８乃至図１５を介して説明した実施例によって動作する。
【０１５７】
無線通信端末２４０３は、トリガー情報に基づいてＡ−ＭＰＤＵを伝送する（Ｓ２４０３）。無線通信端末２４０３は、トリガー情報に基づいて即刻の応答を要請するＭＰＤＵを集合し、前記Ａ−ＭＰＤＵを生成するのかを決定する。トリガーフレームは、無線通信端末２４０３が即刻の応答を要請するＭＰＤＵを集合しベース無線通信端末２４０１に伝送するＡ−ＭＰＤＵを生成することが許容されるのかを示すシグナリングフィールドを含む。無線通信端末２４０３は、シグナリングフィールドに基づいて即刻の応答を要請するＭＰＤＵを集合し、ベース無線通信端末２４０１に伝送するＡ−ＭＰＤＵを生成する。シグナリングフィールドの値が予め指定された値であれば、無線通信端末２４０３即刻の応答を要請するＭＰＤＵを含まない前記Ａ−ＭＰＤＵを生成する。また、シグナリングフィールドの値が予め指定された範囲内であれば、シグナリングフィールド無線通信端末２４０３はベース無線通信端末２４０１に伝送するＡ−ＭＰＤＵを生成する際に前記Ａ−ＭＰＤＵが有し得るＴＩＤの最大個数を示し、無線通信端末２４０３はＴＩＤの最大個数に応じてベース無線通信端末２４０１に伝送するＡ−ＭＰＤＵを生成する。シグナリングフィールドの値が予め指定された範囲内であれば、無線通信端末２４０３は、Ａ−ＭＰＤＵが有し得るＴＩＤの最大個数とは関係なく、即刻の応答を要請しないＭＰＤＵを集合してＡ−ＭＰＤＵを生成する。即刻の応答を要請しないＭＰＤＵは、データ伝送に対するＡＣＫを要請しないＱｏＳ Ｎｕｌｌフレームを含む。また、即刻の応答を要請しないＭＰＤＵは、データ伝送に対するＡＣＫを要請しないアクションＮｏ Ａｃｋフレームを含む。また、即刻の応答を要請するＭＰＤＵは、アクションフレームを含む。また、シグナリングフィールドの値が予め指定された範囲内であれば、無線通信端末２４０３は、Ａ−ＭＰＤＵが有し得るＴＩＤの最大個数とは関係なく、アクションフレームを集合してＡ−ＭＰＤＵを生成する。また、シグナリングフィールドは、上述したＴＩＤ Ａｇｇｒｅｇａｔｉｏｎ Ｌｉｍｉｔフィールドである。上述した予め指定された値は０であってもよい。また、予め指定された範囲は１以上であってもよい。また、無線通信端末２４０３は、図８乃至図１２を介して説明した実施例のように動作する。
【０１５８】
トリガー情報がＭＡＣヘッダに含まれていれば、無線通信端末２４０３は、即刻の応答を要請するＭＰＤＵを含まないＡ−ＭＰＤＵをベース無線通信端末２４０１に伝送するＡ−ＭＰＤＵとして生成する。この際、トリガー情報はＭＡＣヘッダのＨＥ ｖａｒｉａｎｔ ＨＴ ｃｏｎｔｒｏｌフィールドに含まれる。詳しくは、トリガー情報は、上述したＵＬ ＭＵ ＲＵである。具体的な実施例において、トリガー情報がＭＡＣヘッダに含まれていれば、無線通信端末２４０３はＡＣＫフレーム及びＢＡフレームのうちいずれか一つのフレームと即刻の応答を要請するＭＰＤＵなしに即刻の応答を要請しないＭＰＤＵを集合し、前記Ａ−ＭＰＤＵを生成する。この際、即刻の応答を要請しないＭＰＤＵは、データ伝送に対するＡＣＫを要請しないＱｏｓ Ｎｕｌｌフレーム及びデータ伝送に対するＡＣＫを要請しないアクションＮｏ Ａｃｋフレームのうち少なくともいずれか一つを含む。詳しくは、無線通信端末２４０３は、図１３乃至図１５を介して説明した実施例のように動作する。
【０１５９】
無線通信端末２４０３は、トリガーフレームを含むＰＰＤＵの受信信号強度を測定し、測定した受信信号強度に基づいてトリガー基盤ＰＰＤＵの伝送電力を決定する。詳しくは、無線通信端末２４０３は、２０ＭＨｚ帯域幅を有する主チャネルから伝送される、ＰＰＤＵのレガシープリアンブルの受信信号強度をＰＰＤＵの受信信号強度として測定する。この際、レガシープリアンブルは、本発明の一実施例による無線通信端末だけでなくレガシー無線通信端末もデコードし得るプリアンブルを示す。
【０１６０】
また、無線通信端末２４０３は、ＰＰＤＵが伝送される全体周波数帯域でＰＰＤＵの受信信号強度を測定する。この際、無線通信端末２４０３は、ＰＰＤＵが伝送される全体周波数帯域で測定した受信信号強度を２０ＭＨｚ単位に平均化する。詳しくは、無線通信端末２４０３は、ＰＰＤＵが伝送される全体周波数帯域においてレガシープリアンブルの受信信号強度をＰＰＤＵの受信信号強度として測定する。無線通信端末２４０３は、ノンレガシートレーニングフィールドに基づいてＰＰＤＵの受信信号強度を測定する。
【０１６１】
また、無線通信端末２４０３は、ＰＰＤＵが伝送される全体周波数帯域においてノンレガシートレーニングフィールドの受信信号強度をＰＰＤＵの受信信号強度として測定する。詳しくは、無線通信端末２４０３は、ＰＰＤＵが伝送される全体周波数帯域においてノンレガシートレーニングフィールドの受信信号強度を２０ＭＨｚ帯域幅単位に平均した値に基づいてＰＰＤＵの受信信号強度を測定する。
【０１６２】
また、無線通信端末２４０３は、無線通信端末に当たる、ＰＰＤＵのペイロードが伝送されるＲＵを含む２０ＭＨｚ帯域幅を有する周波数帯域において、ノンレガシートレーニングフィールドの受信信号強度をＰＰＤＵの受信信号強度として測定する。無線通信端末２４０３がセンター２６ＲＵを介してＰＰＤＵのペイロードを受信すれば、無線通信端末２４０３はセンター２６ＲＵに関する情報をシグナリングするＳＩＧ−Ｂコンテンツチャネルが伝送される周波数帯域において、ノンレガシーシグナリングフィールドの受信信号強度を測定する。無線通信端末２４０３がセンター２６ＲＵを介してＰＰＤＵのペイロードを受信すれば、無線通信端末２４０３はセンター２６ＲＵを含む２０ＭＨｚ帯域幅を有する２つの周波数帯域幅のうち、センター２６ＲＵに関する情報をシグナリングするＳＩＧ−Ｂコンテンツチャネルと近い周波数帯域において、ノンレガシーシグナリングフィールドの受信信号強度を測定する。他の具体的な実施例において、無線通信端末２４０３は、センター２６ＲＵを含む２０ＭＨｚ帯域幅を有する２つの周波数帯域において、ノンレガシーシグナリングフィールドの受信信号強度を測定する。この際、無線通信端末２４０３は、測定された受信信号強度を２０ＭＨｚ単位に平均化する。また他の具体的な実施例において、ベース無線通信端末２４０１は、センター２６ＲＵを介してトリガー情報を伝送することが制限される。詳しくは、ベース無線通信端末２４０１は、センター２６ＲＵを介してトリガー情報を伝送しなくてもよい。詳しくは、ベース無線通信端末２４０１は、センター２６ＲＵを介してトリガーフレームを伝送しなくてもよい。詳しくは、無線通信端末２４０３とベース無線通信端末２４０１は、図１６乃至図２３を介して説明した実施例のように動作する。
【０１６３】
上記のように、無線LAN通信を例に挙げて、本発明を説明したが、本発明はこれに限定せず、携帯電話通信などの他の通信システムでも同様に適用することができる。また、本発明の方法、デバイス、およびシステムは、特定の実施例に関連して説明されたが、本発明の構成要素、動作の一部または全部は、汎用ハードウェアアーキテクチャを有するコンピュータシステムを使用して実装することができる。
【０１６４】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０１６５】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【符号の説明】
【０１６６】
１００…ステーション
１１０…プロセッサ
１２０…送受信部
１４０…ユーザインタフェース部
１５０…ディスプレーユニット
１６０…メモリ
２１０…プロセッサ
２２０…送受信部
２６０…メモリ
３００…認証サーバ
２４０１…ベース無線通信端末
２４０３…無線通信端末
【図１】
2020174409.tif 000003
【図２】
2020174409.tif 000004
【図３】
2020174409.tif 000005
【図４】
2020174409.tif 000006
【図５】
2020174409.tif 000007
【図６】
2020174409.tif 000008
【図７】
2020174409.tif 000009
【図８】
2020174409.tif 000010
【図９】
2020174409.tif 000011
【図１０】
2020174409.tif 000012
【図１１】
2020174409.tif 000013
【図１２】
2020174409.tif 000014
【図１３】
2020174409.tif 000015
【図１４】
2020174409.tif 000016
【図１５】
2020174409.tif 000017
【図１６】
2020174409.tif 000018
【図１７】
2020174409.tif 000019
【図１８】
2020174409.tif 000020
【図１９】
2020174409.tif 000021
【図２０】
2020174409.tif 000022
【図２１】
2020174409.tif 000023
【図２２】
2020174409.tif 000024
【図２３】
2020174409.tif 000025
【図２４】
2020174409.tif 000026